(57)【要約】  データセッションの修正のための技法が、データセッションにサービス提供するユーザプレーン機能（ＵＰＦ）を変更することを可能にし得る。ＵＥは、第１のデータセッションのユーザプレーンが、第１のＵＰＦからリロケートされるべきであることを識別し得、第１のデータセッションに関連付けられた識別を使用して、第２のＵＰＦとの第２のデータセッションを開始し得る。いくつかのケースでは、第１のデータセッションは、第１のＵＰＦではなく、第２のＵＰＦによってサービス提供されるように修正され得る。セッション管理機能（ＳＭＦ）などのネットワークエンティティは、ＵＥの第１のデータセッションのユーザプレーンが、第１のＵＰＦから離れてリロケートされるべきであると決定し得、第２のＵＰＦにおいて第２のデータセッションを確立することを介して、または第２のＵＰＦによってサービス提供されるように第１のデータセッションを修正することを介して、第１のデータセッションのユーザプレーンリロケーションを実行し得る。【選択図】図５
2020511849.tif 000002
【特許請求の範囲】
【請求項１】
ワイヤレス通信のための方法であって、
ユーザ機器（ＵＥ）によって、ネットワークの第１のユーザプレーン機能（ＵＰＦ）との第１のデータセッションを確立することと、
前記ＵＥにおいて、前記ネットワークとの第２のデータセッションを確立する要求を受信することと、
前記ＵＥによっておよび前記要求を受信することに応答して、前記ネットワークの第２のＵＰＦとの前記第２のデータセッションを確立することと
を備える、方法。
【請求項２】
前記第２のデータセッションを確立した後、前記第１のＵＰＦとの前記第１のデータセッションを解放することをさらに備える、
請求項１に記載の方法。
【請求項３】
前記第２のデータセッションを確立することは、
前記第１のデータセッションに関連付けられたデータセッション識別を含む、前記第２のデータセッションの確立のためのプロトコルデータユニット（ＰＤＵ）セッション確立要求を、前記ネットワークに送信することを備える、
請求項１に記載の方法。
【請求項４】
前記第２のＵＰＦとの前記第２のデータセッションを確立することは、
前記ＰＤＵセッション確立要求がユーザプレーンリロケーションのためのものであることのインジケーションを送信することをさらに備える、
請求項３に記載の方法。
【請求項５】
前記ネットワークから、前記第２のデータセッションが確立されたことの確認を受信することと、
前記第２のＵＰＦから前記第２のデータセッションに関連付けられたユーザプレーン情報を受信することと
をさらに備える、請求項４に記載の方法。
【請求項６】
前記第１のデータセッションは、前記第１のＵＰＦとの第１のプロトコルデータユニット（ＰＤＵ）セッションとして確立される、
請求項１に記載の方法。
【請求項７】
前記要求は、前記ネットワークのセッション管理機能（ＳＭＦ）から受信される、
請求項１に記載の方法。
【請求項８】
前記要求は、第１のデータセッション相関識別を含む、
請求項１に記載の方法。
【請求項９】
ワイヤレス通信のための方法であって、
ユーザ機器（ＵＥ）の第１のデータセッションのユーザプレーンが、第１のユーザプレーン機能（ＵＰＦ）から離れてリロケートされるべきであると決定することと、
第２のＵＰＦにおいて第２のデータセッションを確立することを介して、前記第１のデータセッションのユーザプレーンリロケーションを実行することと
を備える方法。
【請求項１０】
前記第２のデータセッションを確立する要求を前記ＵＥに送ることをさらに備える、
請求項９に記載の方法。
【請求項１１】
前記第２のデータセッションを確立する前記要求は、第１のデータセッション相関識別を含む、
請求項１０に記載の方法。
【請求項１２】
前記ユーザプレーンリロケーションを実行することは、
前記第２のデータセッションを確立する要求を前記ＵＥから受信すること、前記要求は、第１のデータセッション識別を含む、と、
前記ＵＥによって提供される前記第１のデータセッション識別に少なくとも部分的に基づいて、前記要求が、前記第１のデータセッションにサービス提供している前記第１のＵＰＦから離れたＵＰＦリロケーションを必要とすると決定することと、
前記第２のＵＰＦとの前記第２のデータセッションを確立することと
を備える、請求項９に記載の方法。
【請求項１３】
前記要求が前記ＵＰＦリロケーションを必要とすると決定することは、
前記ＵＥからの前記要求において、前記第２のデータセッション確立がユーザプレーンリロケーションのためのものであることの要因インジケーションを受信することを備える、
請求項１２に記載の方法。
【請求項１４】
前記第２のＵＰＦとの接続を確立することをさらに備える、
請求項９に記載の方法。
【請求項１５】
前記ＵＥに、前記第２のデータセッションと前記第２のＵＰＦとに関連付けられたユーザプレーン情報を送信することをさらに備える、
請求項１４に記載の方法。
【請求項１６】
前記方法は、ネットワークのセッション管理機能（ＳＭＦ）において実行される、
請求項９に記載の方法。
【請求項１７】
ワイヤレス通信のための装置であって、
ユーザ機器（ＵＥ）によって、ネットワークの第１のユーザプレーン機能（ＵＰＦ）との第１のデータセッションを確立するための手段と、
前記ＵＥにおいて、前記ネットワークとの第２のデータセッションを確立する要求を受信するための手段と、
前記ＵＥによっておよび前記要求を受信することに応答して、前記ネットワークの第２のＵＰＦとの前記第２のデータセッションを確立するための手段と
を備える、装置。
【請求項１８】
前記第２のデータセッションを前記確立した後、前記第１のＵＰＦとの前記第１のデータセッションを解放するための手段をさらに備える、
請求項１７に記載の装置。
【請求項１９】
前記第２のデータセッションを前記確立するための手段は、
前記第１のデータセッションに関連付けられたデータセッション識別を含む、前記第２のデータセッションの確立のためのプロトコルデータユニット（ＰＤＵ）セッション確立要求を、前記ネットワークに送信するための手段を備える、
請求項１７に記載の装置。
【請求項２０】
前記第２のＵＰＦとの前記第２のデータセッションを前記確立するための手段は、
前記ＰＤＵセッション確立要求がユーザプレーンリロケーションのためのものであることのインジケーションを送信するための手段をさらに備える、
請求項１９に記載の装置。
【請求項２１】
前記ネットワークから、前記第２のデータセッションが確立されたことの確認を受信するための手段と、
前記第２のＵＰＦから前記第２のデータセッションに関連付けられたユーザプレーン情報を受信するための手段と
をさらに備える、請求項２０に記載の装置。
【請求項２２】
前記第１のデータセッションは、前記第１のＵＰＦとの第１のプロトコルデータユニット（ＰＤＵ）セッションとして確立される、
請求項１７に記載の装置。
【請求項２３】
前記要求は、前記ネットワークのセッション管理機能（ＳＭＦ）から受信される、
請求項１７に記載の装置。
【請求項２４】
前記要求は、第１のデータセッション相関識別を含む、
請求項１７に記載の装置。
【請求項２５】
ワイヤレス通信のための装置であって、
ユーザ機器（ＵＥ）の第１のデータセッションのユーザプレーンが、第１のユーザプレーン機能（ＵＰＦ）から離れてリロケートされるべきであると決定するための手段と、
第２のＵＰＦにおいて第２のデータセッションを確立することを介して、前記第１のデータセッションのユーザプレーンリロケーションを実行するための手段と
を備える、装置。
【請求項２６】
前記第２のデータセッションを確立する要求を前記ＵＥに送るための手段をさらに備える、
請求項２５に記載の装置。
【請求項２７】
前記第２のデータセッションを確立する前記要求は、第１のデータセッション相関識別を含む、請求項２６に記載の装置。
【請求項２８】
前記ユーザプレーンリロケーションを前記実行するための手段は、
前記第２のデータセッションを確立する要求を前記ＵＥから受信するための手段、前記要求は、第１のデータセッション識別を含む、と、
前記ＵＥによって提供される前記第１のデータセッション識別に少なくとも部分的に基づいて、前記要求が、前記第１のデータセッションにサービス提供している前記第１のＵＰＦから離れたＵＰＦリロケーションを必要とすると決定するための手段と、
前記第２のＵＰＦとの前記第２のデータセッションを確立するための手段と
を備える、請求項２５に記載の装置。
【請求項２９】
前記要求が前記ＵＰＦリロケーションを必要とすると前記決定するための手段は、
前記ＵＥからの前記要求において、前記第２のデータセッション確立がユーザプレーンリロケーションのためのものであることの要因インジケーションを受信するための手段を備える、
請求項２８に記載の装置。
【請求項３０】
前記第２のＵＰＦとの接続を確立するための手段をさらに備える、
請求項２５に記載の装置。
【発明の詳細な説明】
【相互参照】
【０００１】
[0001]本特許出願は、２０１７年３月２０日に出願された「User Plane Relocation Techniques in Wireless Communication Systems」と題する、Ｆａｃｃｉｎによる米国特許仮出願第６２／４７３，９０４号、および２０１８年２月２０日に出願された「User Plane Relocation Techniques in Wireless Communication Systems」と題する、Ｆａｃｃｉｎ他による米国特許出願第１５／９００，５３２号の優先権を主張し、これらの各々は、本譲受人に譲渡されている。
【導入】
【０００２】
[0002]以下は、一般にワイヤレス通信に関し、より具体的には、異なるセッションおよびサービス継続性モードでのユーザ機器のためのユーザプレーンリロケーションに関する。
【０００３】
[0003]ワイヤレス通信システムは、音声、ビデオ、パケットデータ、メッセージング、ブロードキャスト、等のような様々なタイプの通信コンテンツを提供するために広く展開されている。これらのシステムは、利用可能なシステムリソース（例えば、時間、周波数、および電力）を共有することによって、複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム、（例えば、ロングタームエボリューション（ＬＴＥ（登録商標））システム、または新無線（ＮＲ：New Radio）システム）を含む。ワイヤレス多元接続通信システムは、いくつかの基地局またはアクセスネットワークノードを含み得、各々が、別名ユーザ機器（ＵＥ）として知られ得る複数の通信デバイスのための通信を同時にサポートする。
【０００４】
[0004]いくつかのワイヤレス通信システム（例えば、ＮＲシステム）は、ＵＥと通信状態にあるコアネットワークを含み得る。いくつかの例では、コアネットワークは、様々なサービスをコアネットワークに接続されたＵＥに提供し得、これは、基地局に接続されているＵＥを含み得る。具体的には、コアネットワークは、モビリティ管理サービス、セッション管理サービス、およびＵＥに関連付けられた他の動作をサポートし得る。いくつかのケースでは、これらの異なるサービスを提供する機能またはエンティティが、例えば、ネットワーク内でのＵＥの移動に基づいて、変更または修正され得る。
【発明の概要】
【０００５】
[0005]ワイヤレス通信の方法が説明される。方法は、ＵＥによって、ネットワークの第１のユーザプレーン機能（ＵＰＦ：user plane function）との（with）第１のデータセッションを確立することと、ＵＥにおいて、ネットワークとの第２のデータセッションを確立する要求を受信することと、ＵＥによっておよび要求を受信することに応答して、ネットワークの第２のＵＰＦとの第２のデータセッションを確立することとを含み得る。
【０００６】
[0006]ワイヤレス通信のための装置が説明される。装置は、プロセッサと、プロセッサと電子通信状態にあるメモリと、メモリに記憶された命令とを含み得る。命令は、プロセッサに、ＵＥによって、ネットワークの第１のＵＰＦとの第１のデータセッションを確立することと、ＵＥにおいて、ネットワークとの第２のデータセッションを確立する要求を受信することと、ＵＥによっておよび要求を受信することに応答して、ネットワークの第２のＵＰＦとの第２のデータセッションを確立することとを行わせるように動作可能であり得る。
【０００７】
[0007]ワイヤレス通信のための非一時的なコンピュータ可読媒体が説明される。非一時的なコンピュータ可読媒体は、プロセッサに、ＵＥによって、ネットワークの第１のＵＰＦとの第１のデータセッションを確立することと、ＵＥにおいて、ネットワークとの第２のデータセッションを確立する要求を受信することと、ＵＥによっておよび要求を受信することに応答して、ネットワークの第２のＵＰＦとの第２のデータセッションを確立することとを行わせるように動作可能な命令を含み得る。
【０００８】
[0008]上記で説明された方法、装置、および非一時的なコンピュータ可読媒体のいくつかの例は、第２のデータセッションを確立した後、第１のＵＰＦとの第１のデータセッションを解放するためのプロセス、特徴、手段、または命令をさらに含み得る。
【０００９】
[0009]上記で説明された方法、装置、および非一時的なコンピュータ可読媒体のいくつかの例では、第２のデータセッションを確立することは、第１のデータセッションに関連付けられたデータセッション識別を含む、第２のデータセッションの確立のためのプロトコルデータユニット（ＰＤＵ）セッション確立要求を、ネットワークに送信することを含む。
【００１０】
[0010]上記で説明された方法、装置、および非一時的なコンピュータ可読媒体のいくつかの例では、第２のＵＰＦとの第２のデータセッションを確立することは、ＰＤＵセッション確立要求がユーザプレーンリロケーションのためのものであり得ることのインジケーションを送信することをさらに含む。
【００１１】
[0011]上記で説明された方法、装置、および非一時的なコンピュータ可読媒体のいくつかの例は、ネットワークから、第２のデータセッションが確立され得ることの確認を受信するためのプロセス、特徴、手段、または命令をさらに含み得る。上記で説明された方法、装置、および非一時的なコンピュータ可読媒体のいくつかの例は、第２のＵＰＦから第２のデータセッションに関連付けられたユーザプレーン情報を受信するためのプロセス、特徴、手段、または命令をさらに含み得る。
【００１２】
[0012]上記で説明された方法、装置、および非一時的なコンピュータ可読媒体のいくつかの例では、第１のデータセッションは、第１のＵＰＦとの第１のＰＤＵセッションとして確立され得る。
【００１３】
[0013]上記で説明された方法、装置、および非一時的なコンピュータ可読媒体のいくつかの例では、要求は、ネットワークのセッション管理機能（ＳＭＦ：session management function）から受信され得る。
【００１４】
[0014]上記で説明された方法、装置、および非一時的なコンピュータ可読媒体のいくつかの例では、要求は、第１のデータセッション相関識別を含む。
【００１５】
[0015]ワイヤレス通信の方法が説明される。方法は、ＵＥの第１のデータセッションのユーザプレーンが、第１のＵＰＦから離れてリロケートされるべきであると決定することと、第２のＵＰＦにおいて第２のデータセッションを確立することを介して、第１のデータセッションのユーザプレーンリロケーションを実行することとを含み得る。
【００１６】
[0016]ワイヤレス通信のための装置が説明される。装置は、プロセッサと、プロセッサと電子通信状態にあるメモリと、メモリに記憶された命令とを含み得る。命令は、プロセッサに、ＵＥの第１のデータセッションのユーザプレーンが、第１のＵＰＦから離れてリロケートされるべきであると決定することと、第２のＵＰＦにおいて第２のデータセッションを確立することを介して、第１のデータセッションのユーザプレーンリロケーションを実行することとを行わせるように動作可能であり得る。
【００１７】
[0017]ワイヤレス通信のための非一時的なコンピュータ可読媒体が説明される。非一時的なコンピュータ可読媒体は、プロセッサに、ＵＥの第１のデータセッションのユーザプレーンが、第１のＵＰＦから離れてリロケートされるべきであると決定することと、第２のＵＰＦにおいて第２のデータセッションを確立することを介して、第１のデータセッションのユーザプレーンリロケーションを実行することとを行わせるように動作可能な命令を含み得る。
【００１８】
[0018]上記で説明された方法、装置、および非一時的なコンピュータ可読媒体のいくつかの例は、第２のデータセッションを確立する要求をＵＥに送るためのプロセス、特徴、手段、または命令をさらに含み得る。
【００１９】
[0019]上記で説明された方法、装置、および非一時的なコンピュータ可読媒体のいくつかの例では、第２のデータセッションを確立する要求は、第１のデータセッション相関識別を含む。
【００２０】
[0020]上記で説明された方法、装置、および非一時的なコンピュータ可読媒体のいくつかの例では、ユーザプレーンリロケーションを実行することは、第２のデータセッションを確立する要求をＵＥから受信することを含み、要求は、第１のデータセッション識別を含む。上記で説明された方法、装置、および非一時的なコンピュータ可読媒体のいくつかの例は、ＵＥによって提供される第１のデータセッション識別に少なくとも部分的に基づいて、要求が、第１のデータセッションにサービス提供している第１のＵＰＦから離れたＵＰＦリロケーションを必要とすると決定するためのプロセス、特徴、手段、または命令をさらに含み得る。上記で説明された方法、装置、および非一時的なコンピュータ可読媒体のいくつかの例は、第２のＵＰＦとの第２のデータセッションを確立するためのプロセス、特徴、手段、または命令をさらに含み得る。
【００２１】
[0021]上記で説明された方法、装置、および非一時的なコンピュータ可読媒体のいくつかの例では、要求がＵＰＦリロケーションを必要とすると決定することは、ＵＥからの要求において、第２のデータセッション確立がユーザプレーンリロケーションのためのものであり得ることの要因インジケーション（cause indication）を受信することを含む。
【００２２】
[0022]上記で説明された方法、装置、および非一時的なコンピュータ可読媒体のいくつかの例は、第２のＵＰＦとの接続を確立するためのプロセス、特徴、手段、または命令をさらに含み得る。
【００２３】
[0023]上記で説明された方法、装置、および非一時的なコンピュータ可読媒体のいくつかの例は、ＵＥに、第２のデータセッションと第２のＵＰＦとに関連付けられたユーザプレーン情報を送信するためのプロセス、特徴、手段、または命令をさらに含み得る。
【００２４】
[0024]上記で説明された方法、装置、および非一時的なコンピュータ可読媒体のいくつかの例では、方法は、ネットワークのＳＭＦにおいて実行され得る。
【００２５】
[0025]ワイヤレス通信の方法が説明される。方法は、ユーザ機器（ＵＥ）において、ネットワークとの第１のデータセッションのユーザプレーンが、第１のユーザプレーン機能（ＵＰＦ）から第２のＵＰＦにリロケートされるべきであることを識別することと、第１のデータセッションに関連付けられた識別を使用して、第２のデータセッションを開始することと、第２のＵＰＦとの第２のデータセッションを確立することとを含み得る。
【００２６】
[0026]ワイヤレス通信のための装置が説明される。装置は、ＵＥにおいて、ネットワークとの第１のデータセッションのユーザプレーンが、第１のＵＰＦから第２のＵＰＦにリロケートされるべきであることを識別するための手段と、第１のデータセッションに関連付けられた識別を使用して、第２のデータセッションを開始するための手段と、第２のＵＰＦとの第２のデータセッションを確立するための手段とを含み得る。
【００２７】
[0027]ワイヤレス通信のための別の装置が説明される。装置は、プロセッサと、プロセッサと電子通信状態にあるメモリと、メモリに記憶された命令とを含み得る。命令は、プロセッサに、ＵＥにおいて、ネットワークとの第１のデータセッションのユーザプレーンが、第１のＵＰＦから第２のＵＰＦにリロケートされるべきであることを識別することと、第１のデータセッションに関連付けられた識別を使用して、第２のデータセッションを開始することと、第２のＵＰＦとの第２のデータセッションを確立することとを行わせるように動作可能であり得る。
【００２８】
[0028]ワイヤレス通信のための非一時的なコンピュータ可読媒体が説明される。非一時的なコンピュータ可読媒体は、プロセッサに、ＵＥにおいて、ネットワークとの第１のデータセッションのユーザプレーンが、第１のＵＰＦから第２のＵＰＦにリロケートされるべきであることを識別することと、第１のデータセッションに関連付けられた識別を使用して、第２のデータセッションを開始することと、第２のＵＰＦとの第２のデータセッションを確立することとを行わせるように動作可能な命令を含み得る。
【００２９】
[0029]上記で説明された方法、装置、および非一時的なコンピュータ可読媒体のいくつかの例は、第２のデータセッションを確立した後、第１のＵＰＦとの第１のデータセッションを解放するためのプロセス、特徴、手段、または命令をさらに含み得る。上記で説明された方法、装置、および非一時的なコンピュータ可読媒体のいくつかの例では、第２のデータセッションを開始することは、第１のデータセッションに関連付けられた識別または第１のデータセッション相関識別のうちの１つまたは複数を含む、第２のデータセッションの確立のためのプロトコルデータユニット（ＰＤＵ）セッション確立要求を、ネットワークに送信することを備える。上記で説明された方法、装置、および非一時的なコンピュータ可読媒体のいくつかの例では、第２のＵＰＦとの第２のデータセッションを開始することは、ＰＤＵセッション確立要求がユーザプレーンリロケーションのためのものであることのインジケーションを送信することをさらに備える。
【００３０】
[0030]上記で説明された方法、装置、および非一時的なコンピュータ可読媒体のいくつかの例は、ネットワークから、第２のデータセッションが確立されたことの確認を受信するためのプロセス、特徴、手段、または命令をさらに含み得る。上記で説明された方法、装置、および非一時的なコンピュータ可読媒体のいくつかの例は、第２のＵＰＦから第２のデータセッションに関連付けられたユーザプレーン情報を受信するためのプロセス、特徴、手段、または命令をさらに含み得る。
【００３１】
[0031]上記で説明された方法、装置、および非一時的なコンピュータ可読媒体のいくつかの例は、識別することより前に、第１のＵＰＦとの第１のＰＤＵセッションとして、第１のデータセッションを確立するためのプロセス、特徴、手段、または命令をさらに含み得る。上記で説明された方法、装置、および非一時的なコンピュータ可読媒体のいくつかの例では、第１のデータセッションがリロケートされるべきであることを識別することは、第１のデータセッションのユーザプレーンをリロケートする要求を受信することを備える。上記で説明された方法、装置、および非一時的なコンピュータ可読媒体のいくつかの例では、リロケートする要求は、ネットワークのセッション管理機能（ＳＭＦ）から受信され得る。上記で説明された方法、装置、および非一時的なコンピュータ可読媒体のいくつかの例では、要求は、第１のデータセッション相関識別を含む。
【００３２】
[0032]ワイヤレス通信の方法が説明される。方法は、ＵＥの第１のデータセッションのユーザプレーンが、第１のＵＰＦから離れてリロケートされるべきであると決定することと、第２のＵＰＦにおいて第２のデータセッションを確立することを介して、第１のデータセッションのユーザプレーンリロケーションを実行することとを含み得る。
【００３３】
[0033]ワイヤレス通信のための装置が説明される。装置は、ＵＥの第１のデータセッションのユーザプレーンが、第１のＵＰＦから離れてリロケートされるべきであると決定するための手段と、第２のＵＰＦにおいて第２のデータセッションを確立することを介して、第１のデータセッションのユーザプレーンリロケーションを実行するための手段とを含み得る。
【００３４】
[0034]ワイヤレス通信のための別の装置が説明される。装置は、プロセッサと、プロセッサと電子通信状態にあるメモリと、メモリに記憶された命令とを含み得る。命令は、プロセッサに、ＵＥの第１のデータセッションのユーザプレーンが、第１のＵＰＦから離れてリロケートされるべきであると決定することと、第２のＵＰＦにおいて第２のデータセッションを確立することを介して、第１のデータセッションのユーザプレーンリロケーションを実行することとを行わせるように動作可能であり得る。
【００３５】
[0035]ワイヤレス通信のための非一時的なコンピュータ可読媒体が説明される。非一時的なコンピュータ可読媒体は、プロセッサに、ＵＥの第１のデータセッションのユーザプレーンが、第１のＵＰＦから離れてリロケートされるべきであると決定することと、第２のＵＰＦにおいて第２のデータセッションを確立することを介して、第１のデータセッションのユーザプレーンリロケーションを実行することとを行わせるように動作可能な命令を含み得る。
【００３６】
[0036]上記で説明された方法、装置、および非一時的なコンピュータ可読媒体のいくつかの例は、第１のデータセッションのユーザプレーンをリロケートする要求をＵＥに送るためのプロセス、特徴、手段、または命令をさらに含み得る。上記で説明された方法、装置、および非一時的なコンピュータ可読媒体のいくつかの例では、ユーザプレーンをリロケートする要求は、第１のデータセッション相関識別を含む。
【００３７】
[0037]上記で説明された方法、装置、および非一時的なコンピュータ可読媒体のいくつかの例は、第２のデータセッションを確立する要求をＵＥから受信するためのプロセス、特徴、手段、または命令をさらに含み得、要求は、第１のデータセッション識別を含む。上記で説明された方法、装置、および非一時的なコンピュータ可読媒体のいくつかの例は、ＵＥによって提供される第１のデータセッション識別に少なくとも部分的に基づいて、要求が、第１のデータセッションにサービス提供している第１のＵＰＦから離れたＵＰＦリロケーションのためのものであると決定するためのプロセス、特徴、手段、または命令をさらに含み得る。上記で説明された方法、装置、および非一時的なコンピュータ可読媒体のいくつかの例は、第２のＵＰＦとの第２のデータセッションを確立するためのプロセス、特徴、手段、または命令をさらに含み得る。
【００３８】
[0038]上記で説明された方法、装置、および非一時的なコンピュータ可読媒体のいくつかの例では、要求がＵＰＦリロケーションのためのものであり得ると決定することは、ＵＥからの要求において、第２のデータセッション確立がユーザプレーンリロケーションのためのものであることの要因インジケーションを受信することを備える。上記で説明された方法、装置、および非一時的なコンピュータ可読媒体のいくつかの例は、第２のＵＰＦとの接続を確立するためのプロセス、特徴、手段、または命令をさらに含み得る。
【００３９】
[0039]上記で説明された方法、装置、および非一時的なコンピュータ可読媒体のいくつかの例は、ＵＥに、第２のデータセッションと第２のＵＰＦとに関連付けられたユーザプレーン情報を送信するためのプロセス、特徴、手段、または命令をさらに含み得る。上記で説明された方法、装置、および非一時的なコンピュータ可読媒体のいくつかの例では、方法は、ネットワークのＳＭＦにおいて実行され得る。
【００４０】
[0040]ワイヤレス通信の方法が説明される。方法は、ネットワークとの第１のデータセッションのユーザプレーンが、第１のＵＰＦからリロケートされるべきであることを識別することと、第１のデータセッションに関連付けられた識別を使用して、リロケートされるべき第１のデータセッションの修正を開始することと、第２のＵＰＦへの第１のデータセッションのリロケーションの確認を受信することとを含み得る。
【００４１】
[0041]ワイヤレス通信のための装置が説明される。装置は、ネットワークとの第１のデータセッションのユーザプレーンが、第１のＵＰＦからリロケートされるべきであることを識別するための手段と、第１のデータセッションに関連付けられた識別を使用して、リロケートされるべき第１のデータセッションの修正を開始するための手段と、第２のＵＰＦへの第１のデータセッションのリロケーションの確認を受信するための手段とを含み得る。
【００４２】
[0042]ワイヤレス通信のための別の装置が説明される。装置は、プロセッサと、プロセッサと電子通信状態にあるメモリと、メモリに記憶された命令とを含み得る。命令は、プロセッサに、ネットワークとの第１のデータセッションのユーザプレーンが、第１のＵＰＦからリロケートされるべきであることを識別することと、第１のデータセッションに関連付けられた識別を使用して、リロケートされるべき第１のデータセッションの修正を開始することと、第２のＵＰＦへの第１のデータセッションのリロケーションの確認を受信することとを行わせるように動作可能であり得る。
【００４３】
[0043]ワイヤレス通信のための非一時的なコンピュータ可読媒体が説明される。非一時的なコンピュータ可読媒体は、プロセッサに、ネットワークとの第１のデータセッションのユーザプレーンが、第１のＵＰＦからリロケートされるべきであることを識別することと、第１のデータセッションに関連付けられた識別を使用して、リロケートされるべき第１のデータセッションの修正を開始することと、第２のＵＰＦへの第１のデータセッションのリロケーションの確認を受信することとを行わせるように動作可能な命令を含み得る。
【００４４】
[0044]上記で説明された方法、装置、および非一時的なコンピュータ可読媒体のいくつかの例では、第１のデータセッションの修正を開始することは、第１のデータセッションのリロケーションのためのＰＤＵセッション修正要求を送信することを備え、ＰＤＵセッション修正要求は、第１のデータセッションの第１のデータセッション識別を含む。上記で説明された方法、装置、および非一時的なコンピュータ可読媒体のいくつかの例では、ＰＤＵセッション修正要求は、第１のデータセッション相関識別をさらに含む。上記で説明された方法、装置、および非一時的なコンピュータ可読媒体のいくつかの例は、ＰＤＵセッション修正要求がユーザプレーンリロケーションのためのものであることのインジケーションを送信するためのプロセス、特徴、手段、または命令をさらに含み得る。
【００４５】
[0045]上記で説明された方法、装置、および非一時的なコンピュータ可読媒体のいくつかの例は、第２のＵＰＦから、第１のデータセッションが第２のＵＰＦにおいて確立されたことの確認を受信するためのプロセス、特徴、手段、または命令をさらに含み得る。上記で説明された方法、装置、および非一時的なコンピュータ可読媒体のいくつかの例は、第２のＵＰＦに関連付けられたユーザプレーン情報を受信するためのプロセス、特徴、手段、または命令をさらに含み得る。
【００４６】
[0046]上記で説明された方法、装置、および非一時的なコンピュータ可読媒体のいくつかの例は、識別することより前に、第１のＵＰＦとのＰＤＵセッションとして、第１のデータセッションを確立するためのプロセス、特徴、手段、または命令をさらに含み得る。上記で説明された方法、装置、および非一時的なコンピュータ可読媒体のいくつかの例では、第１のデータセッションがリロケートされるべきであることを識別することは、第１のＵＰＦから第２のＵＰＦにリロケートする要求を受信することを備える。上記で説明された方法、装置、および非一時的なコンピュータ可読媒体のいくつかの例では、リロケートする要求は、ネットワークのＳＭＦから受信され得る。
【００４７】
[0047]ワイヤレス通信の方法が説明される。方法は、ＵＥの第１のデータセッションのユーザプレーンが、第１のＵＰＦから離れてリロケートされるべきであると決定することと、第２のＵＰＦによってサービス提供されるように第１のデータセッションを修正することを介して、第１のデータセッションのユーザプレーンリロケーションを実行することとを含み得る。
【００４８】
[0048]ワイヤレス通信のための装置が説明される。装置は、ＵＥの第１のデータセッションのユーザプレーンが、第１のＵＰＦから離れてリロケートされるべきであると決定するための手段と、第２のＵＰＦによってサービス提供されるように第１のデータセッションを修正することを介して、第１のデータセッションのユーザプレーンリロケーションを実行するための手段とを含み得る。
【００４９】
[0049]ワイヤレス通信のための別の装置が説明される。装置は、プロセッサと、プロセッサと電子通信状態にあるメモリと、メモリに記憶された命令とを含み得る。命令は、プロセッサに、ＵＥの第１のデータセッションのユーザプレーンが、第１のＵＰＦから離れてリロケートされるべきであると決定することと、第２のＵＰＦによってサービス提供されるように第１のデータセッションを修正することを介して、第１のデータセッションのユーザプレーンリロケーションを実行することとを行わせるように動作可能であり得る。
【００５０】
[0050]ワイヤレス通信のための非一時的なコンピュータ可読媒体が説明される。非一時的なコンピュータ可読媒体は、プロセッサに、ＵＥの第１のデータセッションのユーザプレーンが、第１のＵＰＦから離れてリロケートされるべきであると決定することと、第２のＵＰＦによってサービス提供されるように第１のデータセッションを修正することを介して、第１のデータセッションのユーザプレーンリロケーションを実行することとを行わせるように動作可能な命令を含み得る。
【００５１】
[0051]上記で説明された方法、装置、および非一時的なコンピュータ可読媒体のいくつかの例は、第１のデータセッションのユーザプレーンをリロケートする要求をＵＥに送るためのプロセス、特徴、手段、または命令をさらに含み得る。上記で説明された方法、装置、および非一時的なコンピュータ可読媒体のいくつかの例では、ユーザプレーンをリロケートする要求は、第１のデータセッション相関識別を含む。
【００５２】
[0052]上記で説明された方法、装置、および非一時的なコンピュータ可読媒体のいくつかの例は、ＵＥから第１のデータセッションを修正する要求を受信するためのプロセス、特徴、手段、または命令をさらに含み得、要求は、第１のデータセッション識別を含む。上記で説明された方法、装置、および非一時的なコンピュータ可読媒体のいくつかの例は、ＵＥによって提供される第１のデータセッション識別に少なくとも部分的に基づいて、要求が、第１のデータセッションにサービス提供している第１のＵＰＦから離れたＵＰＦリロケーションのためのものであると決定するためのプロセス、特徴、手段、または命令をさらに含み得る。上記で説明された方法、装置、および非一時的なコンピュータ可読媒体のいくつかの例は、修正された第１のデータセッションのために第２のＵＰＦを選択するためのプロセス、特徴、手段、または命令をさらに含み得る。
【００５３】
[0053]上記で説明された方法、装置、および非一時的なコンピュータ可読媒体のいくつかの例では、要求がＵＰＦリロケーションのためのものであると決定することは、ＵＥからの要求において、要求がユーザプレーンリロケーションのためのものであることの要因インジケーションを受信することを備える。上記で説明された方法、装置、および非一時的なコンピュータ可読媒体のいくつかの例では、要求は、第１のデータセッション相関識別を含む。
【００５４】
[0054]上記で説明された方法、装置、および非一時的なコンピュータ可読媒体のいくつかの例は、第２のＵＰＦとの接続を確立するためのプロセス、特徴、手段、または命令をさらに含み得る。上記で説明された方法、装置、および非一時的なコンピュータ可読媒体のいくつかの例は、ＵＥに、第２のＵＰＦに関連付けられたユーザプレーン情報を送信するためのプロセス、特徴、手段、または命令をさらに含み得る。上記で説明された方法、装置、および非一時的なコンピュータ可読媒体のいくつかの例は、第１のＵＰＦにおいてセッション解放をトリガするためのプロセス、特徴、手段、または命令をさらに含み得る。上記で説明された方法、装置、および非一時的なコンピュータ可読媒体のいくつかの例では、方法は、ネットワークのセッション管理機能（ＳＭＦ）において実行され得る。
【図面の簡単な説明】
【００５５】
【図１】[図１は、本開示の１つまたは複数の態様による、異なるセッションおよびサービス継続性モードでのＵＥのためのユーザプレーンリロケーションをサポートするワイヤレス通信システムの例を例示する。
【図２】[図２は、本開示の１つまたは複数の態様による、異なるセッションおよびサービス継続性モードでのＵＥのためのユーザプレーンリロケーションをサポートするワイヤレス通信システムの例を例示する。
【図３】[図３は、本開示の１つまたは複数の態様による、異なるセッションおよびサービス継続性モードでのＵＥのためのユーザプレーンリロケーションをサポートするシステムにおけるプロセスフローの例を例示する。
【図４】[図４は、本開示の１つまたは複数の態様による、異なるセッションおよびサービス継続性モードでのＵＥのためのユーザプレーンリロケーションをサポートするシステムにおけるプロセスフローの例を例示する。
【図５】[図５は、本開示の１つまたは複数の態様による、異なるセッションおよびサービス継続性モードでのＵＥのためのユーザプレーンリロケーションをサポートするシステムにおけるプロセスフローの例を例示する。
【図６】[図６は、本開示の１つまたは複数の態様による、異なるセッションおよびサービス継続性モードでのＵＥのためのユーザプレーンリロケーションをサポートするシステムにおけるプロセスフローの例を例示する。
【図７】[図７は、本開示の１つまたは複数の態様による、異なるセッションおよびサービス継続性モードでのＵＥのためのユーザプレーンリロケーションをサポートするデバイスまたは複数のデバイスのブロック図を示す。
【図８】[図８は、本開示の１つまたは複数の態様による、異なるセッションおよびサービス継続性モードでのＵＥのためのユーザプレーンリロケーションをサポートするデバイスまたは複数のデバイスのブロック図を示す。
【図９】[図９は、本開示の１つまたは複数の態様による、異なるセッションおよびサービス継続性モードでのＵＥのためのユーザプレーンリロケーションをサポートするデバイスまたは複数のデバイスのブロック図を示す。
【図１０】[図１０は、本開示の１つまたは複数の態様による、異なるセッションおよびサービス継続性モードでのＵＥのためのユーザプレーンリロケーションをサポートするＵＥを含むシステムのブロック図を例示する。
【図１１】[図１１は、本開示の１つまたは複数の態様による、異なるセッションおよびサービス継続性モードでのＵＥのためのユーザプレーンリロケーションをサポートするデバイスまたは複数のデバイスのブロック図を示す。
【図１２】[図１２は、本開示の１つまたは複数の態様による、異なるセッションおよびサービス継続性モードでのＵＥのためのユーザプレーンリロケーションをサポートするデバイスまたは複数のデバイスのブロック図を示す。
【図１３】[図１３は、本開示の１つまたは複数の態様による、異なるセッションおよびサービス継続性モードでのＵＥのためのユーザプレーンリロケーションをサポートするデバイスまたは複数のデバイスのブロック図を示す。
【図１４】[図１４は、本開示の１つまたは複数の態様による、異なるセッションおよびサービス継続性モードでのＵＥのためのユーザプレーンリロケーションをサポートするコアネットワークエンティティを含むシステムのブロック図を例示する。
【図１５】[図１５は、本開示の１つまたは複数の態様による、異なるセッションおよびサービス継続性モードでのＵＥのためのユーザプレーンリロケーションのための方法を例示する。
【図１６】[図１６は、本開示の１つまたは複数の態様による、異なるセッションおよびサービス継続性モードでのＵＥのためのユーザプレーンリロケーションのための方法を例示する。
【図１７】[図１７は、本開示の１つまたは複数の態様による、異なるセッションおよびサービス継続性モードでのＵＥのためのユーザプレーンリロケーションのための方法を例示する。
【図１８】[図１８は、本開示の１つまたは複数の態様による、異なるセッションおよびサービス継続性モードでのＵＥのためのユーザプレーンリロケーションのための方法を例示する。
【詳細な説明】
【００５６】
[0063]ワイヤレス通信システム（例えば、５ＧまたはＮＲシステム）は、基地局および／またはＵＥと通信状態にあるコアネットワークを含み得る。コアネットワークの機能は、より柔軟なアーキテクチャを可能にするために仮想化され得る。具体的には、コアネットワークは、ソフトウェアにおいて仮想的にインプリメントされ得る、アクセスおよびモビリティ管理機能（ＡＭＦ）、セッション管理機能（ＳＭＦ）、ユーザプレーン機能（ＵＰＦ）、およびその他などの、いくつかのエンティティ（例えば、機能）を含み得る。ＵＰＦは、データセッション（例えば、ＰＤＵセッション）についてのデータネットワーク（ＤＮ）への相互接続ポイントとして機能するための機能を提供し得る。加えて、ワイヤレス通信システム（例えば、５ＧまたはＮＲシステム）では、ＵＥは、基地局および／またはコアネットワークのエンティティと接続モードにあり得、エンティティのうちの１つまたは複数との異なるセッションおよびサービス継続性モードを有し得る。いくつかのケースでは、第１のＵＰＦによってサービス提供される、確立されたデータセッションを有するＵＥが、（例えば、ＵＥの移動の結果として）異なるＵＰＦによってサービス提供されるデータセッションを有することが望ましくあり得る。
【００５７】
[0064]いくつかのワイヤレス通信システムは、データセッションにサービス提供するＵＰＦを変更することなどを通じて、データセッションの修正のための技法をサポートし得る。具体的には、いくつかの例では、ＵＥは、第１のＵＰＦから異なるＵＰＦにリロケートされるべき、ネットワークとの第１のデータセッションのユーザプレーンを識別し得る。いくつかの例では、ＳＭＦは、第１のＵＰＦによってサービス提供されるデータセッションを第１のＵＰＦから離れてリロケートすることをＵＥに要求する要求を、ＵＥに送信し得る。ＵＥは、第１のデータセッションに関連付けられた識別を使用して、第２のデータセッションを開始し、データセッションをリロケートする要求に応答して、第２のＵＰＦとの第２のデータセッションを確立し得る。いくつかのケースでは、第２のデータセッションは、第２のＵＰＦと確立され得、ＵＥは、第１のＵＰＦとの第１のデータセッションを解放し得る。いくつかのケースでは、第１のデータセッションは、第１のＵＰＦではなく、第２のＵＰＦによってサービス提供されるように修正され得る。
【００５８】
[0065]いくつかのケースでは、ＳＭＦは、ＵＥの第１のデータセッションのユーザプレーンが、第１のＵＰＦから離れてリロケートされるべきであると決定し得、第２のＵＰＦにおいて第２のデータセッションを確立することを介して、第１のデータセッションのユーザプレーンリロケーションを実行し得る。いくつかのケースでは、ＳＭＦは、第１のデータセッションのユーザプレーンをリロケートする要求をＵＥに送り、それに応答して、ユーザプレーンをリロケートする要求を受信し得、これは、第１のデータセッション相関インジケータを含み得る。いくつかのケースでは、ＳＭＦは、第２のデータセッションを確立する要求をＵＥから受信し得、第２のデータセッションは、第１のデータセッションに関連付けられたデータセッション識別を使用して確立され得る。他のケースでは、ＳＭＦは、ＵＥの第１のデータセッションのユーザプレーンが、第１のＵＰＦから離れてリロケートされるべきであると決定し、第２のＵＰＦによってサービス提供されるように第１のデータセッションを修正することを介して、第１のデータセッションのユーザプレーンリロケーションを実行し得る。
【００５９】
[0066]上述された本開示の態様は、ワイヤレス通信システムのコンテキストにおいて以下で説明される。次いで、異なるセッションおよびサービス継続性モードでのＵＥのためのユーザプレーンリロケーションをサポートするプロセスおよびシグナリング交換の例が説明される。本開示の態様はさらに、異なるセッションおよびサービス継続性モードでのＵＥのためのユーザプレーンリロケーションに関する装置図、システム図、およびフローチャートによって例示され、それらを参照して説明される。
【００６０】
[0067]図１は、本開示の様々な態様による、ワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ＬＴＥ（またはＬＴＥアドバンスト）ネットワーク、またはＮＲネットワークであり得る。いくつかのケースでは、ワイヤレス通信システム１００は、拡張ブロードバンド通信、超高信頼性（すなわち、ミッションクリティカル）通信、低レイテンシ通信、および低コストおよび低複雑度のデバイスを用いた通信をサポートし得る。
【００６１】
[0068]基地局１０５は、１つまたは複数の基地局アンテナを介して、ＵＥ１１５とワイヤレスに通信し得る。各基地局１０５は、それぞれの地理的なカバレッジエリア１１０に通信カバレッジを提供し得る。ワイヤレス通信システム１００において示される通信リンク１２５は、ＵＥ１１５から基地局１０５へのアップリンク送信、または基地局１０５からＵＥ１１５へのダウンリンク送信を含み得る。ＵＥ１１５は、通信リンク１３５を通じて、コアネットワーク１３０と通信し得る。制御情報およびデータは、様々な技法に従って、アップリンクチャネルまたはダウンリンク上で多重化され得る。制御情報およびデータは、例えば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。ワイヤレス通信システム１００では、１つの基地局１０５または基地局１０５のグループが、無線アクセスネットワーク（ＲＡＮ）１０５と呼ばれ得る。
【００６２】
[0069]ＵＥ１１５は、ワイヤレス通信システム１００全体にわたって分散され得、各ＵＥ１１５は、固定またはモバイルであり得る。ＵＥ１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語で呼ばれ得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、パーソナル電子デバイス、ハンドヘルドデバイス、パーソナルコンピュータ、ワイヤレスローカルループ（ＷＬＬ）局、モノのインターネット（ＩｏＴ）デバイス、全てのインターネット（ＩｏＥ）デバイス、マシンタイプ通信（ＭＴＣ）デバイス、電気器具、自動車、または同様のものであり得る。
【００６３】
[0070]基地局１０５は、コアネットワーク１３０と、および互いに通信し得る。例えば、基地局１０５は、バックホールリンク１３２（例えば、Ｓ１）を通じて、コアネットワーク１３０とインターフェースし得る。基地局１０５は、（例えば、コアネットワーク１３０を通じて）直接的にまたは間接的にのいずれかで、バックホールリンク１３４（例えば、Ｘ２）を介して互いに通信し得る。基地局１０５は、ＵＥ１１５との通信のために無線構成およびスケジューリングを実行し得るか、または基地局コントローラ（図示せず）の制御下で動作し得る。いくつかの例では、基地局１０５は、マクロセル、スモールセル、ホットスポット、または同様のものであり得る。基地局１０５は、ｇノードＢ（ｇＮＢ）１０５とも呼ばれ得る。
【００６４】
[0071]コアネットワーク１３０は、ユーザ認証、アクセス認可、追跡、インターネットプロトコル（ＩＰ）接続性、および他のアクセス、ルーティング、またはモビリティ機能を提供し得る。コアネットワーク１３０の１つの例示的な機能が、ＳＭＦ１２０であり得、これは、ＵＥ１１５にセッション管理サービスを提供し得る。具体的には、ＳＭＦ１２０は、ＵＥ１１５とデータネットワークとの間の通信のためのセッション（またはベアラ）を確立、修正、および解放し得る。例えば、ＳＭＦ１２０は、ＵＰＦとアクセスネットワーク（ＡＮ）ノードとの間の通信のためのトンネルを維持し得る。加えて、ＳＭＦ１２０は、ＵＥ１１５のためにＩＰアドレスを割り振りおよび管理すること、ユーザプレーン機能を選択および制御すること、トラフィックを適切な宛先にルーティングするために、ＵＰＦにおいてトラフィックステアリングを構成すること、非アクセスストラタム（ＮＡＳ）メッセージのＳＭ部分を終了させること、ローミング機能を提供すること、等を行い得る。
【００６５】
[0072]いくつかの例では、１つまたは複数の基地局１０５は、アクセスネットワークエンティティなどのサブコンポーネントを含み得、これは、アクセスノードコントローラ（ＡＮＣ）の例であり得る。各アクセスネットワークエンティティは、その各々がスマート無線ヘッド（smart radio head）の例であり得るいくつかの他のアクセスネットワークエンティティ、または送信／受信ポイント（ＴＲＰ）を通じて、いくつかのＵＥ１１５と通信し得る。いくつかの構成では、各アクセスネットワークエンティティまたは基地局１０５の様々な機能は、様々なネットワークデバイス（例えば、無線ヘッドおよびアクセスネットワークコントローラ）にわたって分散されるか、または単一のネットワークデバイス（例えば、基地局１０５）に統合され得る。
【００６６】
[0073]ＵＥ１１５は、ＵＥデータセッションマネージャ１０１を含み得、これは、第１のＵＰＦから異なるＵＰＦにリロケートされるべき、ネットワークとの第１のデータセッションのユーザプレーンを識別し得る。いくつかの例では、ＳＭＦ１２０は、第１のＵＰＦによってサービス提供されるデータセッションを第１のＵＰＦから離れてリロケートすることをＵＥ１１５に要求する要求を、ＵＥ１１５に送信し得る。ＵＥ１１５は、第１のデータセッションに関連付けられた識別を使用して、第２のデータセッションを開始し、データセッションをリロケートする要求に応答して、第２のＵＰＦとの第２のデータセッションを確立し得る。いくつかのケースでは、第２のデータセッションは、第２のＵＰＦと確立され得、ＵＥ１１５は、第１のＵＰＦとの第１のデータセッションを解放し得る。いくつかのケースでは、第１のデータセッションは、第１のＵＰＦではなく、第２のＵＰＦによってサービス提供されるように修正され得る。
【００６７】
[0074]ＳＭＦ１２０は、コアネットワークエンティティデータセッションマネージャ１０２を含み得、これは、いくつかのケースでは、ＵＥ１１５の第１のデータセッションのユーザプレーンが、第１のＵＰＦから離れてリロケートされるべきであると決定し得、第２のＵＰＦにおいて第２のデータセッションを確立することを介して、第１のデータセッションのユーザプレーンリロケーションを実行し得る。いくつかのケースでは、ＳＭＦ１２０は、第１のデータセッションのユーザプレーンをリロケートする要求をＵＥに送り、それに応答して、ユーザプレーンをリロケートする要求を受信し得、これは、第１のデータセッション相関インジケータを含み得る。いくつかのケースでは、ＳＭＦ１２０は、第２のデータセッションを確立する要求をＵＥ１１５から受信し得、第２のデータセッションは、第１のデータセッションに関連付けられたデータセッション識別を使用して確立され得る。他のケースでは、ＳＭＦ１２０は、ＵＥ１１５の第１のデータセッションのユーザプレーンが、第１のＵＰＦから離れてリロケートされるべきであると決定し、第２のＵＰＦによってサービス提供されるように第１のデータセッションを修正することを介して、第１のデータセッションのユーザプレーンリロケーションを実行し得る。
【００６８】
[0075]いくつかのケースでは、ワイヤレス通信システム１００は、レイヤードプロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネル上で通信するために、パケットのセグメント化およびリアセンブリを実行し得る。媒体アクセス制御（ＭＡＣ）レイヤは、優先処理およびトランスポートチャネルへの論理チャネルの多重化を実行し得る。ＭＡＣレイヤはまた、ＭＡＣレイヤにおいて再送信を提供するためにハイブリッドＡＲＱ（ＨＡＲＱ）を使用して、リンク効率を改善し得る。制御プレーンでは、無線リソース制御（ＲＲＣ）プロトコルレイヤは、ユーザプレーンデータのための無線ベアラをサポートする、ＵＥ１１５と基地局１０５またはコアネットワーク１３０との間のＲＲＣ接続の確立、構成、および維持を提供し得る。物理（ＰＨＹ）レイヤにおいて、トランスポートチャネルは、物理チャネルにマッピングされ得る。
【００６９】
[0076]ワイヤレス通信システム１００（例えば、５Ｇシステム）では、コアネットワーク１３０の機能は、より柔軟なアーキテクチャを可能にするために仮想化され得る。具体的には、コアネットワークは、ソフトウェアにおいてインプリメントされるＡＭＦ、ＳＭＦ、ＵＰＦ、等のようないくつかのエンティティ（または機能）を含み得る。加えて、ワイヤレス通信システム（例えば、５Ｇシステム）では、ＵＥ１１５は、基地局１０５と接続モードにあり得、ワイヤレスサービスのデータセッション（例えば、ＰＤＵセッション）は、第１のＵＰＦを用いてサービス提供され得る。例えば、ワイヤレス通信システム１００内で移動するＵＥ１１５に基づいて、データセッションが第２のＵＰＦにリロケートされるべきであることが決定され得る。ワイヤレス通信システム１００は、ＵＥ１１５と、コアネットワーク１３０の異なるＵＰＦエンティティ（または機能）との間の効率的なＵＰＦリロケーションのための技法をサポートし得る。
【００７０】
[0077]図２は、本開示の１つまたは複数の態様による、異なるセッションおよびサービス継続性モードでのＵＥのためのユーザプレーンリロケーションをサポートするワイヤレス通信システムアーキテクチャ２００の例を例示する。ワイヤレス通信システムアーキテクチャ２００は、ＵＥ１１５−ａ、（Ｒ）ＡＮ１０５−ａ（これは、図１の基地局１０５の例であり得る）、およびＳＭＦ２１５を含み得、これらは、図１を参照して説明された対応するデバイスの例であり得る。ワイヤレス通信システムアーキテクチャ２００はまた、１つまたは複数の認証サーバ機能（ＡＵＳＦ）２０５、統合データ管理（ＵＤＭ）エンティティ２１０、（例えば、データネットワーク（ＤＮ）２３０と通信状態にある）ユーザプレーン機能（ＵＰＦ）２２０、ポリシー制御機能（ＰＣＦ）２２５、および認可機能（ＡＦ）２３５を含み得る。加えて、ワイヤレス通信システムアーキテクチャ２００は、図面内に示されていない他の機能またはエンティティを含み得、あるいは示されている機能またはエンティティのうちの１つまたは複数を含まない場合がある。
【００７１】
[0078]ＡＵＳＦ２０５は、ＵＥ１１５−ａに認証サービスを提供し得る。例えば、ＡＵＳＦ２０５は、通信リンクＮ１２を介したＡＭＦ２４０からの要求に基づいて、ＵＥ１１５−ａについての認証を開始し、ＵＥ１１５−ａにＮＡＳセキュリティ機能を提供し得る。いくつかのケースでは、認証およびセキュリティ機能は、エンティティ２１０（例えば、ＵＤＭ）に記憶された情報に基づき得る。エンティティ２１０（例えば、ＵＤＭ）は、認証に使用される長期セキュリティ証明を記憶する認証証明リポジトリおよび処理機能（ＡＲＰＦ：authentication credential repository and processing function）をサポートし得る。ＡＵＳＦ２０５は、通信リンクＮ１３を介して、エンティティ２１０（例えば、ＵＤＭ）から情報を取り出し得る。
【００７２】
[0079]ＳＭＦ２１５は、ＵＥ１１５−ａにセッション管理サービスを提供し得る。具体的には、ＳＭＦ２１５は、ＵＥ１１５−ａとＤＮ２３０との間の通信のためのセッション（またはベアラ）を確立、修正、および解放し得る。例えば、ＳＭＦ２１５は、ＵＰＦ２２０とアクセスネットワーク（ＡＮ）ノードとの間の通信のためのトンネルを維持し得る。加えて、ＳＭＦ２１５は、ＵＥ１１５−ａのためにＩＰアドレスを割り振りおよび管理すること、ユーザプレーン機能を選択および制御すること、トラフィックを適切な宛先にルーティングするために、ＵＰＦ２２０においてトラフィックステアリングを構成すること、ＮＡＳメッセージのＳＭ部分を終了させること、ローミング機能を提供すること、等を行い得る。いくつかのケースでは、ＳＭＦ２１５は、ＰＤＵサービスが２つのＵＰＦ２２０の間でリロケートされるべきであると決定し得、リロケーションを開始し得る。
【００７３】
[0080]ＵＰＦ２２０は、外部ＰＤＵセッションについてのＤＮ２３０への相互接続ポイントとして機能するための機能を含み得る。いくつかのケースでは、ＵＰＦ２２０は、イントラＲＡＴおよびインターＲＡＴモビリティのためのアンカーポイントであり得る。ＵＰＦ２２０は、ＤＮ２３０へのおよびＤＮ２３０からのパケットをルーティングおよび転送すること、パケットを検査しおよびユーザプレーンにおけるポリシー規則を実施すること、トラフィック使用量を報告すること、ユーザプレーンパケットについてのサービス品質（ＱｏＳ）を処理すること、アップリンクトラフィックを検証すること、等を行い得る。ＰＣＦ２２５は、ネットワークの挙動を管理する（govern）統合ポリシーフレームワークをサポートし得る。具体的には、ＰＣＦ２２５は、ポリシー規則を、それらを実施するように制御プレーン機能に提供し得る。いくつかのケースでは、ＰＣＦ２２５は、エンティティ２１０（例えば、ＵＤＭ）におけるサブスクリプションリポジトリからサブスクリプション情報を取り出し得る。ＡＦ２３５は、ネットワークへのアクセスのために、ＵＥ１１５−ａを認可するためのサービスをサポートし得る。
【００７４】
[0081]いくつかのワイヤレスシステム（例えば、５Ｇワイヤレスシステム）では、ＵＥ１１５−ａは、データセッションまたはＰＤＵセッションを使用してデータパケットを交換するために、ＤＮ２３０にアクセスし得る。ＰＤＵセッションは、ＰＤＵ接続性サービスを提供し得、これは、ＵＥ１１５−ａとＤＮ２３０との間の１つまたは複数のＰＤＵの送信をサポートし得る。ＰＤＵセッションにおけるＵＥ１１５−ａとＤＮ２３０との間の関連付けは、インターネットプロトコル（ＩＰ）またはイーサネット（登録商標）を使用し得、あるいは関連付けは、構造化されていない場合がある。いくつかのケースでは、ＤＮ２３０は、ローカルＤＮ、中央ＤＮ、公衆陸上モバイルネットワーク（ＰＬＭＮ）、等の例であり得る。
【００７５】
[0082]例示されるように、コアネットワークの異なる機能は、より柔軟なアーキテクチャをサポートするために仮想化され得る。すなわち、上記で説明された異なる機能は、ソフトウェアにおいてインプリメントされ得る。このようなケースでは、ＵＥ１１５−ａは、（Ｒ）ＡＮ１０５−ａとＵＰＦ２２０との間のＮ３通信リンクを介して、ＤＮ２３０、ＳＭＦ２１５、ＰＣＦ２２５、等と通信し得る。Ｎ３通信リンクは、ＵＥ１１５−ａについてのデータ接続と呼ばれ得る。いくつかのケースでは、ＰＤＵセッションを１つのＵＰＦ２２０から異なるＵＰＦ２２０に切り替えることが望ましくあり得る。例えば、ＵＥ１１５−ａのモビリティは、ソース（Ｒ）ＡＮ１０５−ａからターゲット（Ｒ）ＡＮへのハンドオーバーをもたらし得、（例えば、ＤＮ２３０がローカルＤＮであり得、ターゲット（Ｒ）ＡＮもまた、関連付けられたローカルＤＮにおいて記憶された対応するデータを有する場合）第１のＵＰＦ２２０との確立されたＰＤＵセッションが、ターゲット（Ｒ）ＡＮにより近接し得る第２のＵＰＦ２２０にリロケートされるようにすることがより効率的であり得る。
【００７６】
[0083]ワイヤレス通信システムアーキテクチャ２００は、ＰＤＵセッションにサービス提供するＵＰＦ２２０を変更することなどを通じて、ＰＤＵセッションの修正をサポートし得る。具体的には、いくつかの例では、ＵＥ１１５−ａは、ネットワークとの第１のＰＤＵセッションのユーザプレーンが、第１のＵＰＦから異なるＵＰＦにリロケートされるべきであることを識別し得る。いくつかの例では、ＳＭＦ２１５は、第１のＵＰＦ２２０によってサービス提供されるＰＤＵセッションを第１のＵＰＦから離れてリロケートすることをＵＥ１１５−ａに要求する要求を、ＵＥ１１５−ａに送信し得る。ＵＥは、第１のＰＤＵセッションに関連付けられた識別を使用して、第２のＰＤＵセッションを開始し、ＰＤＵセッションをリロケートする要求に応答して、第２のＵＰＦ（図示せず）との第２のＰＤＵセッションを確立し得る。いくつかのケースでは、第２のＰＤＵセッションは、第２のＵＰＦと確立され得、ＵＥ１１５−ａは、第１のＵＰＦ２２０との第１のＰＤＵセッションを解放し得る。いくつかのケースでは、第１のＰＤＵセッションは、第１のＵＰＦではなく、第２のＵＰＦによってサービス提供されるように修正され得る。
【００７７】
[0084]上記で示されたように、いくつかのケースでは、ＳＭＦ２１５は、第１のＰＤＵセッションのユーザプレーンが、第１のＵＰＦ２２０から離れてリロケートされるべきであると決定し得、第２のＵＰＦにおいて第２のＰＤＵセッションを確立することを介して、第１のＰＤＵセッションのユーザプレーンリロケーションを実行し得る。いくつかのケースでは、ＳＭＦ２１５は、第１のＰＤＵセッションのユーザプレーンをリロケートする要求をＵＥ１１５−ａに送り、それに応答して、ユーザプレーンをリロケートする要求を受信し得、これは、第１のＰＤＵセッション相関インジケータを含み得る。いくつかのケースでは、ＳＭＦ２１５は、第２のＰＤＵセッションを確立する要求をＵＥ１１５−ａから受信し得、第２のＰＤＵセッションは、第１のＰＤＵセッションに関連付けられたＰＤＵセッション識別を使用して確立され得る。他のケースでは、ＳＭＦ２１５は、ＵＥ１１５−ａの第１のＰＤＵセッションのユーザプレーンが、第１のＵＰＦ２２０から離れてリロケートされるべきであると決定し、第２のＵＰＦによってサービス提供されるように第１のＰＤＵセッションを修正することを介して、第１のＰＤＵセッションのユーザプレーンリロケーションを実行し得る。
【００７８】
[0085]図３は、本開示の１つまたは複数の態様による、異なるセッションおよびサービス継続性モードでのＵＥのためのユーザプレーンリロケーションをサポートするシステムにおけるプロセスフロー３００の例を例示する。プロセスフロー３００は、ＵＥ１１５−ｂおよびＳＭＦ２１５−ａを含み得、これらは、図１〜図２を参照して説明された対応するデバイスの例であり得る。プロセスフロー３００はまた、（Ｒ）ＡＮ１０５−ｂ、ＡＭＦ２４０−ａ、ＵＰＦ２２０−ａ、ＰＣＦ２２５−ａ、ＵＤＭ２１０−ａ、およびＤＮ２３０−ａを含み得、これらは、図１〜図２を参照して説明された対応するデバイスまたは機能の例であり得る。
【００７９】
[0086]図３の例では、ＵＥ１１５−ｂは、既にＡＭＦ２４０−ａに登録され得、したがって、ＡＭＦ２４０−ａは、ＵＤＭ２１０−ａからユーザサブスクリプションデータを取り出している可能性がある。３０５において、ＵＥ１１５−ｂは、新しいＰＤＵセッションを確立するために、ＰＤＵセッション確立要求を送信し得る。いくつかのケースでは、上記で示されたように、ＳＭＦ２１５−ａは、ＵＥ１１５−ｂがＵＰＦリロケーションを開始することを要求し得、このようなケースでは、ＵＥ１１５−ｂは、それについてユーザプレーンがリロケートされる既存のＰＤＵセッションのＰＤＵセッションＩＤを使用して、ＰＤＵセッション確立要求を送信し得る。いくつかのケースでは、ＳＭＦ２１５−ａは、ＵＥ１１５−ｂがＰＤＵセッション確立要求に含め得るＰＤＵセッション相関識別を、ＵＥ１１５−ｂに提供し得る。
【００８０】
[0087]いくつかのケースでは、ＵＥ１１５−ｂは、Ｎ１セッション管理（ＳＭ）情報内のＰＤＵセッション確立要求を含むメッセージの送信によって、ＵＥにより要求されたＰＤＵセッション確立プロシージャ（UE Requested PDU Session establishment procedure）を開始し得る。ＰＤＵセッション確立要求は、ＰＤＵタイプ、セッションおよびサービス継続性（ＳＳＣ）モード、またはプロトコル構成オプションのうちの１つまたは複数を含み得る。要求がユーザプレーンリロケーションのためのものである場合、ＵＥ１１５−ｂは、いくつかの例では、確立要求がユーザプレーンリロケーションのためのものであることのインジケーションを含み得、これは、例えば、ユーザプレーンリロケーションフィールドにおいて関連するフラグをセットすることによって示され得る。ＵＥ１１５−ｂによって送られるメッセージは、（Ｒ）ＡＮ１０５−ｂによって、ＡＭＦ２４０−ａに提供され得るＮ２メッセージにカプセル化され得る。
【００８１】
[0088]３１０において、ＡＭＦ２４０−ａは、メッセージが、新しいＰＤＵセッションのための要求に対応するか、または既存のＰＤＵセッションのリロケーションのための要求に対応するかを決定し、決定に少なくとも部分的に基づいて、ＳＭＦ選択を実行し得る。いくつかの例では、ＡＭＦ２４０−ａは、要求におけるＰＤＵセッションＩＤが、ＵＥ１１５−ｂの（１つまたは複数の）既存のＰＤＵセッションのいずれにも使用されていない場合、要求が新しいＰＤＵセッションのためのものであると決定し得、このケースでは、ＡＭＦ２４０−ａは、確立されたＳＭＦ選択基準に従って、ＳＭＦを選択し得る。ＡＭＦ２４０−ａが、例えば、ＰＤＵセッションＩＤがＵＥの既存のＰＤＵセッションに一致することに基づいて、要求が既存のＰＤＵセッションのためのユーザプレーンリロケーションに対応すると決定した場合には、ＡＭＦ２４０−ａは、既存のＰＤＵセッションについての現在のサービングＳＭＦを読み出し得る。いくつかのケースでは、要求はまた、ＰＤＵセッションを確立するための確立要因のインジケーションを含み得、ユーザプレーンリロケーションが、確立要因のうちの１つとして含まれ得る。このようなケースにおいて、ＡＭＦ２４０−ａが、確立要因がユーザプレーンリロケーションであると決定した場合、現在のサービングＳＭＦが、既存のＰＤＵセッションのために識別され得る。いくつかのケースでは、ＡＭＦ２４０−ａは、ＰＤＵセッション相関ＩＤに基づいて、要求メッセージが、既存のＰＤＵセッションのためのユーザプレーンリロケーションのための要求に対応すると決定し得、ＡＭＦ２４０−ａは、ＰＤＵセッション相関ＩＤに基づいて、ＳＭＦを選択し得る。
【００８２】
[0089]ＡＭＦ２４０−ａは、ＰＤＵセッション確立要求を含み得るＳＭ要求３１５を、ＳＭＦ２１５−ａに送信し得る。ＳＭ要求は、例えば、ＵＥ１１５−ｂの識別（例えば、加入者永続ＩＤ）、Ｎ１  ＳＭ情報、および他のパラメータを含み得る。Ｎ１  ＳＭ情報は、ＵＥ１１５−ｂから受信されるＰＤＵセッション確立要求を含み得る。
【００８３】
[0090]ＳＭＦ２１５−ａは、ＵＤＭ２１０−ａにサブスクリプションデータ要求３２０を送信し得、これは、例えば、ＵＥ加入者永続識別、および他のパラメータを含み得る。ＵＤＭ２１０−ａは、ＳＭＦ２１５−ａにサブスクリプションデータ応答３２２を提供し得、これは、例えば、（１つまたは複数の）認可ＰＤＵタイプ、（１つまたは複数の）認可ＳＳＣモード、およびデフォルトサービス品質（ＱｏＳ）プロファイルを含み得る。いくつかのケースでは、ＳＭＦ２１５−ａは、ＵＥ要求がユーザサブスクリプションとおよびローカルポリシーと準拠しているかどうかをチェックし得る。
【００８４】
[0091]３２５において、ＰＤＵセッション認証および認可が実行され得る。ＰＤＵセッションがリロケートされるケースでは、ＰＤＵセッション認証は、ＰＤＵセッションが認証および認可されたままであることを決定し得る。オプションの３３０において、ＳＭＦ２１５−ａは、ＰＣＦ選択を実行し得、ＰＣＦ２２５−ａとＰＤＵ−ＣＡＮセッション確立情報３３５を交換し得る。
【００８５】
[0092]３４０において、ＳＭＦ２１５−ａは、ＵＰＦ選択を実行し得る。いくつかのケースでは、ＳＭＦ２１５−ａは、ＵＰＦ選択がユーザプレーンリロケーションの一部として実行されることを決定し得、既存のＰＤＵセッションおよび関連するＵＰＦに基づいて、新しいＵＰＦを選択し得る。ＳＭＦ２１５−ａはまた、ＰＤＵセッションのためにＩＰアドレス／プレフィックスを割り振り得る。ＳＭＦ２１５−ａはまた、例えば、ＰＤＵセッションについてのポリシーおよび課金制御（ＰＣＣ）規則を取得し、ＰＣＦにおけるＵＰＦ関連情報を更新するために、ＰＣＦ２２５−ａに向けてＰＤＵ−ＣＡＮセッション確立または修正３４５を開始し得る。
【００８６】
[0093]ＳＭＦ２１５−ａは、選択されたＵＰＦ２２０−ａとのＮ４セッション確立または修正プロシージャ３５０を開始し得、これは、ＰＤＵセッションリロケーションのケースでは、ＰＤＵセッションに関連付けられたデータを提供し得るＤＮ２３０−ａと関連付けられたＵＰＦであり得る。いくつかのケースでは、コアネットワーク（ＣＮ）トンネル情報が、Ｎ４セッション確立または修正メッセージにおいて、ＵＰＦ２２０−ａに提供され得る。ＵＰＦ２２０−ａは、ＳＭＦ２１５−ａにＮ４セッション確立／修正応答３５２を提供し得る。ＣＮトンネル情報がＵＰＦ２２０−ａによって割り振られている場合、ＣＮトンネル情報は、ＳＭＦ２１５−ａに提供され得る。
【００８７】
[0094]ＳＭＦ２１５−ａは、ＡＭＦ２４０−ａにＳＭ要求確認応答３５５を提供し得、これは、ＰＤＵセッション確立が受諾された（accepted）ことのインジケーションを含み得る。いくつかのケースでは、ＳＭ要求確認応答３５５は、ＰＤＵセッションＩＤ、ＱｏＳプロファイル、および既存のＰＤＵセッションに対応するＮ３トンネルのＣＮアドレスに対応するＣＮトンネル情報などの、ＡＭＦ２４０−ａが（Ｒ）ＡＮ１０５−ｂに提供し得る情報を含み得る。ＡＭＦ２４０−ａは、（Ｒ）ＡＮ１０５−ｂにＮ２  ＰＤＵセッション要求３６０を送信し得る。
【００８８】
[0095]（Ｒ）ＡＮは、ＵＥ１１５−ｂとＡＮ固有のリソースセットアップ情報３６２を交換し得る。このような情報は、ＳＭＦ２１５−ａから受信される情報を含み得る。いくつかのケースでは、交換は、ＲＲＣ接続再構成であり得る。（Ｒ）ＡＮ１０５−ｂはまた、ＰＤＵセッションのために（Ｒ）ＡＮトンネル情報を割り振り得る。この交換に続いて、（Ｒ）ＡＮ１０５−ｂは、ＡＭＦ２４０−ａにＮ２  ＰＤＵセッション要求確認応答３６４を提供し得る。その後、ＵＥ１１５−ｂは、ＵＰＦ２２０−ａとの確立されたＰＤＵセッションに従って、新しいＵＰＦ２２０−ａに第１のアップリンクデータ３６５を送信し得る。いくつかのケースでは、ＵＥ１１５−ｂはまた、以前のＵＰＦとの以前のＰＤＵセッションを解放し得る。ＡＭＦ２４０−ａは、ＳＭＦ２１５−ａにＮ２情報とともにＳＭ要求３７０を送信し得、続いて、ＳＭＦ２１５−ａが、ＵＰＦ２２０−ａにＮ４修正要求３７５を送信する。ＵＰＦ２２０−ａは、ＳＭＦ２１５−ａの元にＮ４修正応答３７７を送信し得、それは、ＡＭＦ２４０−ａの元にＳＭ要求確認応答３８０を送信し得る。ＳＭＦ２１５−ａは、ＵＰＦ２２０−ａおよびＵＥ１１５−ｂに、ＩＰアドレス構成３８５を提供し得、ＵＰＦ２２０−ａは、ＵＥ１１５−ｂに第１のダウンリンクデータ３９０を送信し得る。ＰＤＵセッションの存続期間の間、ＡＭＦ２４０−ａは、ＰＤＵセッションＩＤとＳＭＦ  ＩＤの関連付けを記憶する。
【００８９】
[0096]図４は、本開示の１つまたは複数の態様による、異なるセッションおよびサービス継続性モードでのＵＥのためのユーザプレーンリロケーションをサポートするシステムにおけるプロセスフロー４００の例を例示する。プロセスフロー４００は、ＵＥ１１５−ｃおよびＳＭＦ２１５−ｂを含み得、これらは、図１〜図２を参照して説明された対応するデバイスの例であり得る。プロセスフロー４００はまた、（Ｒ）ＡＮ１０５−ｃ、ＡＭＦ２４０−ｂ、古いＵＰＦ２２０−ｂ、新しいＵＰＦ２２０−ｃ、ＰＣＦ２２５−ｂ、およびＵＤＭ２１０−ｂを含み得、これらは、図１〜図２を参照して説明された対応するデバイスまたは機能の例であり得る。
【００９０】
[0097]図４の例では、ＵＥ１１５−ｃは、既にＡＭＦ２４０−ｂに登録され得、したがって、ＡＭＦ２４０−ｂは、ＵＤＭ２１０−ｂからユーザサブスクリプションデータを取り出している可能性がある。３０５において、ＵＥ１１５−ｃは、ＰＤＵセッションを修正するために、ＡＭＦ２４０−ｂにＰＤＵセッション修正要求を送信し得る。いくつかのケースでは、ＵＥ１１５−ｃは、ＰＤＵセッションに関連付けられたＱｏＳを修正するためのプロシージャを開始し得る。いくつかのケースでは、上記で示されたように、ＳＭＦ２１５−ｂは、ＵＥ１１５−ｃがＵＰＦリロケーションを開始することを要求し得、このようなケースでは、ＵＥ１１５−ｃは、それについてユーザプレーンがリロケートされる既存のＰＤＵセッションのＰＤＵセッションＩＤを使用して、ＰＤＵセッション修正要求を送信し得る。いくつかのケースでは、ＵＥ１１５−ｃは、新しいＰＤＵセッションのＳＳＭモード２確立のためのプロシージャを呼び出し得、既存のＰＤＵセッションのＰＤＵセッションＩＤを提供し、ＵＰＦリロケーションをトリガし得る。
【００９１】
[0098]ＡＭＦ２４０−ｂは、要求を受信し、ＳＭＦ２１５−ｂにＳＭ要求４１０を送信し得、これは、ＰＤＵセッション修正要求を含む。その後、ＳＭＦ２１５−ｂは、ＰＣＦ２２５−ｂとＰＤＵ−ＣＡＮセッション修正情報４１５を交換し得る。ＵＤＭ２１０−ｂは、ＳＭＦ２１５−ｂに挿入加入者データ（insert subscriber data）４２０を送信し得、ＳＭＦ２１５−ｂは、ＵＤＭ２１０−ｂの元に挿入加入者データ確認応答４２２を送信し得る。挿入加入者データは、例えば、ＳＭＦ２１５−ｂへのメッセージ中に、加入者永続アイデンティティとサブスクリプションデータとを含み得る。
【００９２】
[0099]４２５において、ＳＭＦ２１５−ｂは、確立されたＰＤＵセッションを修正するために、ＱｏＳ更新のためのトリガを受信し得る。このプロシージャは、例えば、ＱｏＳパラメータに基づいてトリガされ得、またはローカルに構成されたポリシーに基づいてトリガされ得る。ＳＭＦ２１５−ｂが４０５ないし４２５においてトリガのうちの１つを受信した場合、ＰＤＵセッション修正プロシージャが開始され得る。
【００９３】
[0100]４３０において、ＳＭＦ２１５−ｂは、プロシージャがユーザプレーンリロケーションのためのものであることのインジケーションを受信すると、要求がユーザサブスクリプションとおよびローカルポリシーと準拠しているかどうかを決定し得る。要求が準拠していない場合、ＳＭＦ２１５−ｂは要求を拒否し得、残りのプロシージャはスキップされ得る。要求が準拠している場合、ＳＭＦ２１５−ｂは、新しいＵＰＦを選択し得、このＰＤＵセッションのためにＩＰアドレス／プレフィックスを割り振り得る。新しいＵＰＦは、ＰＤＵセッションと関連付けられたＤＮへのアクセスを有する利用可能なＵＰＦ、（Ｒ）ＡＮ１０５−ｃへのＵＰＦの近接度、ＰＤＵセッションのＱｏＳなどの、いくつかの要因、その他の要因、またはこれらの任意の組合せに基づいて選択され得る。
【００９４】
[0101]４３０における動作が実行された場合、ＳＭＦ２１５−ｂは、４３０において選択された新しいＵＰＦ２２０−ｃにＮ４セッション確立要求４３５を送信し得る。ＳＭＦ２１５−ｂはまた、このＰＤＵセッションのために新しいＵＰＦ２２０−ｃにインストールされることになるパケット検出、実施および報告の規則を提供し得る。ＣＮトンネル情報がＳＭＦ２１５−ｂによって割り振られている場合、この情報はまた、新しいＵＰＦ２２０−ｃにも提供され得る。新しいＵＰＦ２２０−ｃは、ＳＭＦ２１５−ｂにＮ４セッション確立応答４３７を送ることによって、要求を確認応答し得る。ＣＮトンネル情報が新しいＵＰＦ２２０−ｃによって割り振られている場合、ＣＮトンネル情報は、ＳＭＦ２１５−ｂに提供され得る。
【００９５】
[0102]ＳＭＦ２１５−ｂは、ＰＤＵ  ＣＡＮセッション修正通信４４０を使用して、１つまたは複数のポリシーを取り出すために、ＰＣＦ２２５−ｂとインタラクトし得、いくつかのケースでは、ＰＤＵセッション修正プロシージャが４１５または４２５によってトリガされた場合、この動作はスキップされ得る。ＳＭＦ２１５−ｂは、ＡＭＦ２４０−ｂにＳＭ要求４４５を送信し得、これは、ＰＤＵセッション修正コマンドを含み得る。ＳＭ要求４４５は、例えば、ＡＭＦ２４０−ｂへのメッセージ中に、Ｎ２  ＳＭ情報（ＰＤＵセッションＩＤ）と、Ｎ１  ＳＭコンテナ（ＰＤＵセッション修正コマンド（ＰＤＵセッションＩＤ））とを含み得る。Ｎ２  ＳＭ情報は、ＡＭＦが（Ｒ）ＡＮ１０５−ｃに提供し得る情報を含み得、ユーザプレーン修正のケースでは、これは、ＣＮトンネル情報を含み得る。いくつかのケースでは、Ｎ１  ＳＭコンテナは、ＵＥ１１５−ｃにＡＭＦ２４０−ｂからのＰＤＵセッション修正コマンドを提供し得る。
【００９６】
[0103]その後、ＡＭＦ２４０−ｂは、（Ｒ）ＡＮ１０５−ｃにＮ２  ＰＤＵセッション要求４５０を送り得、これは、ＳＭＦ２１５−ｂから受信されたＮ２  ＳＭ情報、ＮＡＳメッセージ、（Ｒ）ＡＮ１０５−ｃへのメッセージ、またはこれらの任意の組合せを含み得る。（Ｒ）ＡＮ１０５−ｃは、ＳＭＦ２１５−ｂから受信される情報に関連する、ＵＥと情報を交換するために、ＡＮ固有のシグナリング４５５を発行し得る。例えば、３ＧＰＰ（登録商標）  ＲＡＮのケースでは、ＲＲＣ接続再構成は、ＵＥ１１５−ｃがＰＤＵセッションに関連する必要なＲＡＮリソースを修正することにより行われ得る。ＵＥは、（例えば、ＮＡＳ  ＳＭシグナリングを介して）ＰＤＵセッション修正コマンド確認応答メッセージを送ることによって、ＰＤＵセッション修正コマンドを確認応答し得る。
【００９７】
[0104]（Ｒ）ＡＮ１０５−ｃは、ＡＭＦ２４０−ｂにＮ２セッション応答４６０を提供し得、これは、ＡＭＦ２４０−ｂにＮ２  ＰＤＵセッション解放確認応答（ＮＡＳメッセージ）メッセージを提供し得る。ＡＭＦ２４０−ｂは、ＳＭ要求確認応答４６５を介して、ＳＭＦ２１５−ｂにセッション応答を転送し得る。ＳＭＦ２１５−ｂは、新しいＵＰＦ２２０−ｃにＮ４セッション修正要求４７０を送ることによって、ＰＤＵセッション修正が関与する（１つまたは複数の）ＵＰＦ２２０のＮ４セッションを更新し得、これは、新しいＵＰＦ２２０−ｃからのＮ４修正応答４７２をトリガし得る。いくつかのケースでは、修正応答４７２は、古いＵＰＦ２２０−ｂに向けられたＮ４セッション解放要求４７５と、古いＵＰＦ２２０−ｂからの対応するＮ４セッション解放応答４７７とをトリガし得る。
【００９８】
[0105]図５は、本開示の１つまたは複数の態様による、異なるセッションおよびサービス継続性モードでのＵＥのためのユーザプレーンリロケーションをサポートするシステムにおけるプロセスフロー５００の例を例示する。プロセスフロー５００は、ＵＥ１１５−ｄおよびＳＭＦ２１５−ｃを含み得、これらは、図１〜図２を参照して説明された対応するデバイスの例であり得る。プロセスフロー５００はまた、（Ｒ）ＡＮ１０５−ｄ、ＡＭＦ２４０−ｃ、第１のＵＰＦ２２０−ｄ、および第２のＵＰＦ２２０−ｅを含み得、これらは、図１〜図３を参照して説明された対応するデバイスまたは機能の例であり得る。
【００９９】
[0106]図５の例では、ＵＥ１１５−ｄは、確立された既存のＰＤＵセッションを有し得、第１のＵＰＦ２２０−ｄとアップリンクおよびダウンリンクデータ５０５を交換し得る。５１０において、ＳＭＦ２１５−ｃは、ＵＥ１１５−ｄのモビリティ、ＱｏＳ考慮事項、上記で説明されたような他のパラメータ、またはこれらの組合せなどの、ＵＰＦリロケーションから利益を得ることができるイベントにより、サービス提供する第１のＵＰＦ２２０−ｄが、リロケートされるべきであると決定し得る。この決定に基づいて、ＳＭＦ２１５−ｃは、ＡＭＦ２４０−ｃを介して、ＵＥ１１５−ｄにＮＡＳメッセージ５１５を送り得る。ＮＡＳメッセージ５１５は、同じＤＮへのＰＤＵセッションの再確立が要求されていることのインジケーションとともに、リロケートされるべきＰＤＵセッションＩＤを含み得る。ＳＭＦ２１５−ｃは、このＰＤＵセッションについてのＰＤＵセッション情報を、（例えば、ＳＭＦにＰＤＵセッションＩＤのマッピングを提供することによって）ある一定時間の間維持する必要性をＡＭＦ２４０−ｃに示し得る。追加または代替として、ＳＭＦ２１５−ｃは、ＵＥ１１５−ｄにＰＤＵセッション相関識別を提供し得、ＰＤＵセッションのコンテキストが維持されるべきであることを示さない場合がある。ＡＭＦ２４０−ｃは、ＰＤＵセッション相関識別またはＰＤＵセッション情報を維持することのインジケーションに基づいて、コンテキストを使用し得る後続のＰＤＵセッションが確立されることを可能にするために、ＰＤＵセッションについてのコンテキストを維持し得る。
【０１００】
[0107]ＰＤＵセッション解放プロシージャ５２０が、第１のＵＰＦ２２０−ｄとのセッションを解放するために実行され得る。ＳＭＦ２１５−ｃは、上記で説明されたように、（例えば、インプリメンテーション依存の時間量の間）ＵＥ１１５−ｄのコンテキストを維持し得、その後それは、ＵＥ１１５−ｄが同じＰＤＵセッションＩＤを有する新しいＰＤＵセッションを再確立しない場合、ＵＥ情報を解放し得る。
【０１０１】
[0108]ＰＤＵセッション確立プロシージャ５２５は、ＵＥ１１５−ｄによって開始され得る。いくつかのケースでは、ＰＤＵセッション解放プロシージャ５２０は、ＰＤＵセッション確立プロシージャ５２５と同時並行に実行され得る。他のケースでは、ＰＤＵセッション確立プロシージャ５２５は、ＰＤＵセッション解放プロシージャ５２０より前に実行され得る（すなわち、以前に確立されたＰＤＵセッションを切断する前に、新しいＰＤＵセッションが作成される）。新しいＰＤＵセッションの確立は、図３に関して説明されたものと同様の方法で実行され得る。いくつかのケースでは、ＰＤＵセッション確立プロシージャ５２５は、ＵＥ１１５−ｄが以前のＰＤＵセッションのために使用したものと同じＰＤＵセッションＩＤと、新しいＰＤＵセッションがユーザプレーンリロケーションのためのものであることのインジケーションとを提供することによって、実行され得る。代替として、ＵＥ１１５−ｄは、ＡＭＦ２４０−ｃがＰＤＵセッションのためのＳＭＦ選択において使用し得るＰＤＵセッション相関ＩＤを、ＡＭＦ２４０−ｃに提供し得る。相関ＩＤは、ＰＤＵセッションについてのコンテキストを解放した可能性があるＡＭＦ２４０−ｃが、ＵＥ１１５−ｄにＳＭＦアドレスを開示する必要なく、同じＳＭＦを再選択できるようにするものである。その後、ＡＭＦ２４０−ｃは、ＵＥ１１５−ｄから受信されたこのセッション確立要求を、ＵＥ１１５−ｄによって提供されるＰＤＵセッションＩＤに基づいて、以前のＰＤＵセッションに対応するＳＭＦ２１５−ｃに転送し得、これにより、ＳＭＦ２１５−ｃは、再確立されたＰＤＵセッションのために第２のＵＰＦ２２０−ｅ（すなわち、ＵＰＦ２）選択し得る。第２のＵＰＦ２２０−ｅとのＰＤＵセッションの確立に続いて、アップリンクおよびダウンリンクデータ５３０が、第２のＵＰＦ２２０−ｅを使用して送信され得る。
【０１０２】
[0109]図６は、本開示の１つまたは複数の態様による、異なるセッションおよびサービス継続性モードでのＵＥのためのユーザプレーンリロケーションをサポートするシステムにおけるプロセスフロー６００の例を例示する。プロセスフロー６００は、ＵＥ１１５−ｅおよびＳＭＦ２１５−ｄを含み得、これらは、図１〜図２を参照して説明された対応するデバイスの例であり得る。プロセスフロー６００はまた、（Ｒ）ＡＮ１０５−ｅ、ＡＭＦ２４０−ｄ、第１のＵＰＦ２２０−ｆ、および第２のＵＰＦ２２０−ｇを含み得、これらは、図１〜図２および図４を参照して説明された対応するデバイスまたは機能の例であり得る。
【０１０３】
[0110]図６の例では、ＵＥ１１５−ｅは、確立された既存のＰＤＵセッションを有し得、第１のＵＰＦ２２０−ｆとアップリンクおよびダウンリンクデータ６０５を交換し得る。６１０において、ＳＭＦ２１５−ｄは、ＵＥ１１５−ｅのモビリティ、ＱｏＳ考慮事項、上記で説明されたような他のパラメータ、またはこれらの組合せなどの、ＵＰＦリロケーションから利益を得ることができるイベントにより、サービス提供する第１のＵＰＦ２２０−ｆが、リロケートされるべきであると決定し得る。この決定に基づいて、ＳＭＦ２１５−ｄは、ＡＭＦ２４０−ｄを介して、ＵＥ１１５−ｆにＮＡＳメッセージ６１５を送り得る。ＮＡＳメッセージ６１５は、同じＤＮへのＰＤＵセッションの再確立が要求されていることのインジケーションとともに、リロケートされるべきＰＤＵセッションＩＤを含み得る。
【０１０４】
[0111]６２０において、ＳＭＦ２１５−ｄおよびＵＥ１１５−ｅは、第１のＵＰＦ２２０−ｆから第２のＵＰＦ２２０−ｇへ再選択するために、ＰＤＵセッション修正プロシージャを実行し得る。いくつかのケースでは、ＵＥ１１５−ｅは、ＵＥ１１５−ｅが以前のＰＤＵセッションのために使用したものと同じＰＤＵセッションＩＤと、ＰＤＵセッションがユーザプレーンリロケーションのためのものであることのインジケーションとを提供することによって、６２０のＰＤＵセッション修正プロシージャを開始し得る。ＳＭＦ２１５−ｄは、第１のＵＰＦ２２０−ｆにおけるＰＤＵセッションを解放するために、ＰＤＵセッション解放プロシージャを実行し得る。したがって、第１のＵＰＦ２２０−ｆから第２のＵＰＦ２２０−ｇへの修正とともに、ＵＥ１１５−ｅの観点から同じＰＤＵセッションが維持され得、アップリンクおよびダウンリンクデータ６２５は、第２のＵＰＦ２２０−ｇを使用して送信され得る。
【０１０５】
[0112]図７は、本開示の１つまたは複数の態様による、異なるセッションおよびサービス継続性モードでのＵＥのためのユーザプレーンリロケーションをサポートするワイヤレスデバイス７０５のブロック図７００を示す。ワイヤレスデバイス７０５は、図１〜図６を参照して説明されたような、ＵＥ１１５の態様の例であり得る。ワイヤレスデバイス７０５は、受信機７１０、ＵＥデータセッションマネージャ７１５、および送信機７２０を含み得る。ワイヤレスデバイス７０５はまた、プロセッサを含み得る。これらのコンポーネントの各々は、（例えば、１つまたは複数のバスを介して）互いと通信状態にあり得る。
【０１０６】
[0113]受信機７１０は、様々な情報チャネル（例えば、ユーザプレーンリロケーションに関連する情報、データチャネル、および制御チャネル）に関連付けられた制御情報、ユーザデータ、またはパケットなどの情報を受信し得る。情報は、デバイスの他のコンポーネントへと渡され（passed）得る。受信機７１０は、図１０を参照して説明されるトランシーバ１０３５の態様の例であり得る。
【０１０７】
[0114]ＵＥデータセッションマネージャ７１５は、図１０を参照して説明されるＵＥデータセッションマネージャ１０１５の態様の例であり得る。ＵＥデータセッションマネージャ７１５および／またはその様々なサブコンポーネントのうちの少なくともいくつかは、ハードウェア、プロセッサによって実行されるソフトウェア、ファームウェア、またはこれらの任意の組合せでインプリメントされ得る。プロセッサによって実行されるソフトウェアでインプリメントされる場合、ＵＥデータセッションマネージャ７１５および／またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは本開示で説明される機能を実行するように設計されたこれらの任意の組合せによって実行され得る。
【０１０８】
[0115]ＵＥデータセッションマネージャ７１５および／またはその様々なサブコンポーネントのうちの少なくともいくつかは、様々な位置に物理的に位置し得、機能の部分が、１つまたは複数の物理的デバイスによって異なる物理的なロケーションにおいてインプリメントされるように分散されていることを含む。いくつかの例では、ＵＥデータセッションマネージャ７１５および／またはその様々なサブコンポーネントのうちの少なくともいくつかは、本開示の様々な態様による、別個のおよび異なるコンポーネントであり得る。他の例では、ＵＥデータセッションマネージャ７１５および／またはその様々なサブコンポーネントのうちの少なくともいくつかは、本開示の様々な態様に従って、それに限定されるものではないが、Ｉ／Ｏコンポーネント、トランシーバ、ネットワークサーバ、別のコンピューティングデバイス、本開示で説明される１つまたは複数の他のコンポーネント、またはこれらの組合せを含む、１つまたは複数の他のハードウェアコンポーネントと組み合わされ得る。
【０１０９】
[0116]ＵＥデータセッションマネージャ７１５は、ネットワークの第１のＵＰＦとの第１のデータセッションを確立し、ネットワークとの第２のデータセッションを確立する要求を（例えば、受信機７１０を介して）受信し、メッセージを受信することに応答して、ネットワークの第２のＵＰＦとの第２のデータセッションを確立し得る。ＵＥデータセッションマネージャ７１５はまた、ネットワークとの第１のデータセッションのユーザプレーンが、第１のＵＰＦからリロケートされるべきであることを識別し、第１のデータセッションに関連付けられた識別を使用して、リロケートされるべき第１のデータセッションの修正を開始し、第２のＵＰＦへの第１のデータセッションのリロケーションの確認を受信し得る。
【０１１０】
[0117]送信機７２０は、デバイスの他のコンポーネントによって生成される信号を送信し得る。いくつかの例では、送信機７２０は、トランシーバモジュールにおいて受信機７１０とコロケート（collocated）され得る。例えば、送信機７２０は、図１０を参照して説明されるトランシーバ１０３５の態様の例であり得る。送信機７２０は、単一のアンテナを含み得るか、またはそれは、アンテナのセットを含み得る。いくつかのケースでは、送信機７２０は、第１のコアネットワークエンティティにＮＡＳトランスポートメッセージを送信し得る。
【０１１１】
[0118]図８は、本開示の１つまたは複数の態様による、異なるセッションおよびサービス継続性モードでのＵＥのためのユーザプレーンリロケーションをサポートするワイヤレスデバイス８０５のブロック図８００を示す。ワイヤレスデバイス８０５は、図１〜図６および図７を参照して説明されたような、ワイヤレスデバイス７０５またはＵＥ１１５の態様の例であり得る。ワイヤレスデバイス８０５は、受信機８１０、ＵＥデータセッションマネージャ８１５、および送信機８２０を含み得る。ワイヤレスデバイス８０５はまた、プロセッサを含み得る。これらのコンポーネントの各々は、（例えば、１つまたは複数のバスを介して）互いと通信状態にあり得る。
【０１１２】
[0119]受信機８１０は、様々な情報チャネル（例えば、ユーザプレーンリロケーションに関連するメッセージまたは情報、データチャネル、および制御チャネル）に関連付けられた制御情報、ユーザデータ、またはパケットなどの情報を受信し得る。情報は、デバイスの他のコンポーネントへと渡され得る。受信機８１０は、図１０を参照して説明されるトランシーバ１０３５の態様の例であり得る。
【０１１３】
[0120]ＵＥデータセッションマネージャ８１５は、図１０を参照して説明されるＵＥデータセッションマネージャ１０１５の態様の例であり得る。ＵＥデータセッションマネージャ８１５はまた、データセッション識別コンポーネント８２５、データセッション開始／修正コンポーネント８３０、およびデータセッション確立コンポーネント８３５を含み得る。
【０１１４】
[0121]データセッション識別コンポーネント８２５は、ネットワークとの第１のデータセッションのユーザプレーンが、第１のＵＰＦから第２のＵＰＦにリロケートされるべきであることを識別し得る。データセッション識別コンポーネント８２５は、いくつかの例では、ワイヤレスデバイスにおけるＰＤＵセッションを識別し得、ＳＭＦからの新しいＰＤＵセッションを確立する要求の受信などを通じて、ＰＤＵセッションがリロケートされるべきであることを識別し得る。いくつかのケースでは、要求は、第１のデータセッション相関識別を含み得る。
【０１１５】
[0122]データセッション開始／修正コンポーネント８３０は、第２のデータセッションを開始し得る。いくつかのケースでは、データセッション開始／修正コンポーネント８３０は、第１のデータセッションに関連付けられた識別を使用して、第２のデータセッションを開始し得る。いくつかのケースでは、第２のデータセッションの開始は、ＳＭＦからの要求の受信に応答して実行され得る。いくつかのケースでは、第２のデータセッションは、第１のデータセッションの第１のデータセッション識別または第１のデータセッション相関識別のうちの１つまたは複数を含む、第２のデータセッションの確立のためのＰＤＵセッション確立要求をネットワークに送信することによって開始され得る。いくつかのケースでは、ＰＤＵセッション確立要求は、ＰＤＵセッション確立がユーザプレーンリロケーションのためのものであることのインジケーションを含み得る。
【０１１６】
[0123]データセッション開始／修正コンポーネント８３０は、いくつかのケースでは、第１のデータセッションに関連付けられた識別を使用して、リロケートされるべき第１のデータセッションの修正を開始し得る。このような修正は、例えば、第１のデータセッションのリロケーションのためのＰＤＵセッション修正要求を送信することによって開始され得、ＰＤＵセッション修正要求は、第１のデータセッションの第１のデータセッション識別を含む。いくつかのケースでは、ＰＤＵセッション修正要求は、第１のデータセッション相関識別を含み得る。
【０１１７】
[0124]データセッション確立コンポーネント８３５は、第１のＵＰＦとの第１のＰＤＵセッションとして第１のデータセッションを確立し得、第２のデータセッションの開始に応答して、および／またはＳＭＦからの要求の受信に応答して、第２のＵＰＦとの第２のデータセッションを確立し得る。いくつかのケースでは、データセッション確立コンポーネント８３５は、第２のデータセッションを確立した後、第１のＵＰＦとの第１のデータセッションを解放し得る。いくつかのケースでは、第２のデータセッションが確立されたことの確認が、ネットワークから受信され得、第２のデータセッションに関連付けられたユーザプレーン情報が、第２のＵＰＦから受信され得る。第１のデータセッションが第１のＵＰＦから第２のＵＰＦにリロケートされるように修正されるケースでは、第２のＵＰＦへの第１のデータセッションのリロケーションの確認が受信され得る。
【０１１８】
[0125]送信機８２０は、デバイスの他のコンポーネントによって生成される信号を送信し得る。いくつかの例では、送信機８２０は、トランシーバモジュールにおいて受信機８１０とコロケートされ得る。例えば、送信機８２０は、図１０を参照して説明されるトランシーバ１０３５の態様の例であり得る。送信機８２０は、単一のアンテナを含み得るか、またはそれは、アンテナのセットを含み得る。
【０１１９】
[0126]図９は、本開示の１つまたは複数の態様による、異なるセッションおよびサービス継続性モードでのＵＥのためのユーザプレーンリロケーションをサポートするＵＥデータセッションマネージャ９１５のブロック図９００を示す。ＵＥデータセッションマネージャ９１５は、図７、図８、および図１０を参照して説明されるＵＥデータセッションマネージャ７１５、ＵＥデータセッションマネージャ８１５、またはＵＥデータセッションマネージャ１０１５の態様の例であり得る。ＵＥデータセッションマネージャ９１５は、データセッション識別コンポーネント９２０、データセッション開始／修正コンポーネント９２５、データセッション確立コンポーネント９３０、およびリロケーション識別コンポーネント９３５を含み得る。これらのモジュールの各々は、（例えば、１つまたは複数のバスを介して）互いと直接的にまたは間接的に通信し得る。
【０１２０】
[0127]データセッション識別コンポーネント９２０は、ネットワークとの第１のデータセッションのユーザプレーンが、第１のＵＰＦから第２のＵＰＦにリロケートされるべきであることを識別し得る。データセッション識別コンポーネント９２０は、いくつかの例では、ワイヤレスデバイスにおけるＰＤＵセッションを識別し得、ＳＭＦからの新しいＰＤＵセッションを確立する要求の受信などを通じて、ＰＤＵセッションがリロケートされるべきであることを識別し得る。いくつかのケースでは、要求は、第１のデータセッション相関識別を含み得る。
【０１２１】
[0128]データセッション開始／修正コンポーネント９２５は、第２のデータセッションを開始し得る。いくつかのケースでは、データセッション開始／修正コンポーネント９２５は、第１のデータセッションに関連付けられた識別を使用して、第２のデータセッションを開始し得る。いくつかのケースでは、第２のデータセッションの開始は、ＳＭＦからの要求の受信に応答して実行され得る。いくつかのケースでは、第２のデータセッションは、第１のデータセッションの第１のデータセッション識別または第１のデータセッション相関識別のうちの１つまたは複数を含む、第２のデータセッションの確立のためのＰＤＵセッション確立要求をネットワークに送信することによって開始され得る。いくつかのケースでは、ＰＤＵセッション確立要求は、ＰＤＵセッション確立がユーザプレーンリロケーションのためのものであることのインジケーションを含み得る。
【０１２２】
[0129]データセッション開始／修正コンポーネント９２５は、いくつかのケースでは、第１のデータセッションに関連付けられた識別を使用して、リロケートされるべき第１のデータセッションの修正を開始し得る。このような修正は、例えば、第１のデータセッションのリロケーションのためのＰＤＵセッション修正要求を送信することによって開始され得、ＰＤＵセッション修正要求は、第１のデータセッションの第１のデータセッション識別を含む。いくつかのケースでは、ＰＤＵセッション修正要求は、第１のデータセッション相関識別を含み得る。
【０１２３】
[0130]データセッション確立コンポーネント９３０は、第１のＵＰＦとの第１のＰＤＵセッションとして第１のデータセッションを確立し得、第２のデータセッションの開始に応答して、および／またはＳＭＦからの要求の受信に応答して、第２のＵＰＦとの第２のデータセッションを確立し得る。いくつかのケースでは、データセッション確立コンポーネント９３０は、第２のデータセッションを確立した後、第１のＵＰＦとの第１のデータセッションを解放し得る。いくつかのケースでは、第２のデータセッションが確立されたことの確認が、ネットワークから受信され得、第２のデータセッションに関連付けられたユーザプレーン情報が、第２のＵＰＦから受信され得る。第１のデータセッションが第１のＵＰＦから第２のＵＰＦにリロケートされるように修正されるケースでは、第２のＵＰＦへの第１のデータセッションのリロケーションの確認が受信され得る。
【０１２４】
[0131]リロケーション識別コンポーネント９３５は、第１のデータセッションをリロケートする要求をＳＭＦから受信し得る。いくつかのケースでは、ＳＭＦからの要求は、第２のデータセッションを確立する要求であり得、リロケーション識別コンポーネント９３５は、第１のデータセッション識別を含むＰＤＵセッション確立要求を送信し得る。いくつかのケースでは、要求は、ＰＤＵセッション修正要求がユーザプレーンリロケーションのためのものであることのインジケーションを含み得る。第１のデータセッションが修正されることになるケースでは、ＰＤＵセッション修正要求が送信され得る。いくつかのケースでは、ＳＭＦは、ＰＤＵセッションがリロケートされることを要求し得、リロケーション識別コンポーネント９３５は、第１のＰＤＵセッションのセッションＩＤ、ユーザプレーンリロケーションの要因インジケーション、またはＰＤＵセッション相関ＩＤのうちの１つまたは複数を含むセッション修正要求またはセッション確立要求を送信し得る。
【０１２５】
[0132]図１０は、本開示の１つまたは複数の態様による、異なるセッションおよびサービス継続性モードでのＵＥのためのユーザプレーンリロケーションをサポートするデバイス１００５を含むシステム１０００の図を示す。デバイス１００５は、例えば、図１〜図６、図７および図８を参照して、上記で説明されたような、ワイヤレスデバイス７０５、ワイヤレスデバイス８０５、またはＵＥ１１５のコンポーネントを含むか、またはその例であり得る。デバイス１００５は、ＵＥデータセッションマネージャ１０１５、プロセッサ１０２０、メモリ１０２５、ソフトウェア１０３０、トランシーバ１０３５、アンテナ１０４０、およびＩ／Ｏコントローラ１０４５を含む、通信を送信および受信するためのコンポーネントを含む双方向音声およびデータ通信のためのコンポーネントを含み得る。これらのコンポーネントは、１つまたは複数のバス（例えば、バス１０１０）を介して電子通信状態にあり得る。デバイス１００５は、１つまたは複数の基地局１０５とワイヤレスに通信し得る。
【０１２６】
[0133]プロセッサ１０２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはこれらの任意の組合せ）を含み得る。いくつかのケースでは、プロセッサ１０２０は、メモリコントローラを使用してメモリアレイを動作させるように構成され得る。他のケースでは、メモリコントローラは、プロセッサ１０２０に一体化され得る。プロセッサ１０２０は、様々な機能（例えば、異なるセッションおよびサービス継続性モードでのＵＥのためのユーザプレーンリロケーションをサポートする機能またはタスク）を実行するために、メモリに記憶されたコンピュータ可読命令を実行するように構成され得る。
【０１２７】
[0134]メモリ１０２５は、ランダムアクセスメモリ（ＲＡＭ）および読取専用メモリ（ＲＯＭ）を含み得る。メモリ１０２５は、実行されると、プロセッサに、本明細書で説明された様々な機能を実行させる命令を含むコンピュータ可読で、コンピュータ実行可能なソフトウェア１０３０を記憶し得る。いくつかのケースでは、メモリ１０２５は、特に、周辺コンポーネントまたはデバイスとの対話などの基本ハードウェアおよび／またはソフトウェア動作を制御し得る基本入出力システム（ＢＩＯＳ）を含み得る。
【０１２８】
[0135]ソフトウェア１０３０は、非モビリティ管理メッセージのためのＮＡＳトランスポートをサポートするためのコードを含む、本開示の態様をインプリメントするためのコードを含み得る。ソフトウェア１０３０は、システムメモリまたは他のメモリなどの、非一時的なコンピュータ可読媒体に記憶され得る。いくつかのケースでは、ソフトウェア１０３０は、プロセッサによって直接的に実行可能でない場合があるが、（例えば、コンパイルされ、実行されると）コンピュータに、本明細書で説明される機能を実行させ得る。
【０１２９】
[0136]トランシーバ１０３５は、上記で説明されたように、１つまたは複数のアンテナ、ワイヤードリンク、またはワイヤレスリンクを介して、双方向に通信し得る。例えば、トランシーバ１０３５は、ワイヤレストランシーバを表し得、別のワイヤレストランシーバと双方向に通信し得る。トランシーバ１０３５はまた、パケットを変調して、変調されたパケットを送信のためにアンテナに提供することと、アンテナから受信されたパケットを復調することとを行うためのモデムを含み得る。
【０１３０】
[0137]いくつかのケースでは、ワイヤレスデバイスは、単一のアンテナ１０４０を含み得る。しかしながら、いくつかのケースでは、デバイスは、１つより多くのアンテナ１０４０を有し得、それらは、複数のワイヤレス送信を同時並行に送信または受信することが可能であり得る。
【０１３１】
[0138]Ｉ／Ｏコントローラ１０４５は、デバイス１００５のための入力および出力信号を管理し得る。Ｉ／Ｏコントローラ１０４５はまた、デバイス１００５に一体化されていない周辺機器を管理し得る。いくつかのケースでは、Ｉ／Ｏコントローラ１０４５は、外部周辺機器への物理的接続またはポートを表し得る。いくつかのケースでは、Ｉ／Ｏコントローラ１０４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムなどのオペレーティングシステムを利用し得る。他のケースでは、Ｉ／Ｏコントローラ１０４５は、モデム、キーボード、マウス、タッチスクリーン、または同様のデバイスを表すか、またはそれらと対話し得る。いくつかのケースでは、Ｉ／Ｏコントローラ１０４５は、プロセッサの一部としてインプリメントされ得る。いくつかのケースでは、ユーザは、Ｉ／Ｏコントローラ１０４５を介して、またはＩ／Ｏコントローラ１０４５によって制御されるハードウェアコンポーネントを介して、デバイス１００５と対話し得る。
【０１３２】
[0139]図１１は、本開示の１つまたは複数の態様による、異なるセッションおよびサービス継続性モードでのＵＥのためのユーザプレーンリロケーションをサポートするワイヤレスデバイス１１０５のブロック図１１００を示す。ワイヤレスデバイス１１０５は、図１〜図６を参照して説明されたような、コアネットワーク１３０の態様の例であり得る。例えば、ワイヤレスデバイス１１０５は、図１を参照して説明されたコアネットワークにおけるＳＭＦ１２０または図２〜図６を参照して説明されたＳＭＦ２１５−ｄの態様の例であり得る。ワイヤレスデバイス１１０５は、受信機１１１０、コアネットワークデータセッションマネージャ１１１５、および送信機１１２０を含み得る。ワイヤレスデバイス１１０５はまた、プロセッサを含み得る。これらのコンポーネントの各々は、（例えば、１つまたは複数のバスを介して）互いと通信状態にあり得る。
【０１３３】
[0140]受信機１１１０は、様々な情報チャネル（例えば、ユーザプレーンリロケーションに関連する情報、データチャネル、および制御チャネル）に関連付けられた制御情報、ユーザデータ、またはパケットなどの情報を受信し得る。情報は、デバイスの他のコンポーネントへと渡され得る。受信機１１１０は、図１４を参照して説明されるトランシーバ１４３５の態様の例であり得る。
【０１３４】
[0141]コアネットワークデータセッションマネージャ１１１５は、図１４を参照して説明されるコアネットワークデータセッションマネージャ１４１５の態様の例であり得る。コアネットワークデータセッションマネージャ１１１５および／またはその様々なサブコンポーネントのうちの少なくともいくつかは、ハードウェア、プロセッサによって実行されるソフトウェア、ファームウェア、またはこれらの任意の組合せでインプリメントされ得る。プロセッサによって実行されるソフトウェアでインプリメントされる場合、コアネットワークデータセッションマネージャ１１１５および／またはその様々なサブコンポーネントのうちの少なくともいくつかの機能は、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいは本開示で説明される機能を実行するように設計されたこれらの任意の組合せによって実行され得る。
【０１３５】
[0142]コアネットワークデータセッションマネージャ１１１５および／またはその様々なサブコンポーネントのうちの少なくともいくつかは、様々な位置に物理的に位置し得、機能の部分が、１つまたは複数の物理的デバイスによって異なる物理的なロケーションにおいてインプリメントされるように分散されていることを含む。いくつかの例では、コアネットワークデータセッションマネージャ１１１５および／またはその様々なサブコンポーネントのうちの少なくともいくつかは、本開示の様々な態様による、別個のおよび異なるコンポーネントであり得る。他の例では、コアネットワークデータセッションマネージャ１１１５および／またはその様々なサブコンポーネントのうちの少なくともいくつかは、本開示の様々な態様に従って、それに限定されるものではないが、Ｉ／Ｏコンポーネント、トランシーバ、ネットワークサーバ、別のコンピューティングデバイス、本開示で説明される１つまたは複数の他のコンポーネント、またはこれらの組合せを含む、１つまたは複数の他のハードウェアコンポーネントと組み合わされ得る。
【０１３６】
[0143]コアネットワークデータセッションマネージャ１１１５は、ＵＥの第１のデータセッションのユーザプレーンが、第１のＵＰＦから離れてリロケートされるべきであると決定し、第２のＵＰＦにおいて第２のデータセッションを確立することを介して、第１のデータセッションのユーザプレーンリロケーションを実行し得る。コアネットワークデータセッションマネージャ１１１５はまた、ＵＥの第１のデータセッションのユーザプレーンが、第１のＵＰＦから離れてリロケートされるべきであると決定し、第２のＵＰＦによってサービス提供されるように第１のデータセッションを修正することを介して、第１のデータセッションのユーザプレーンリロケーションを実行し得る。
【０１３７】
[0144]送信機１１２０は、デバイスの他のコンポーネントによって生成される信号を送信し得る。いくつかの例では、送信機１１２０は、トランシーバモジュールにおいて受信機１１１０とコロケートされ得る。例えば、送信機１１２０は、図１４を参照して説明されるトランシーバ１４３５の態様の例であり得る。送信機１１２０は、単一のアンテナを含み得るか、またはそれは、アンテナのセットを含み得る、ワイヤードまたはワイヤレス接続を含み得る。
【０１３８】
[0145]図１２は、本開示の１つまたは複数の態様による、異なるセッションおよびサービス継続性モードでのＵＥのためのユーザプレーンリロケーションをサポートするワイヤレスデバイス１２０５のブロック図１２００を示す。ワイヤレスデバイス１２０５は、図１〜図６および図１１を参照して説明されたような、ワイヤレスデバイス１１０５またはコアネットワーク１３０のエンティティの態様の例であり得る。例えば、ワイヤレスデバイス１２０５は、図１〜図６および図１１を参照して説明されたＳＭＦの態様の例であり得る。ワイヤレスデバイス１２０５は、受信機１２１０、コアネットワークデータセッションマネージャ１２１５、および送信機１２２０を含み得る。ワイヤレスデバイス１２０５はまた、プロセッサを含み得る。これらのコンポーネントの各々は、（例えば、１つまたは複数のバスを介して）互いと通信状態にあり得る。
【０１３９】
[0146]受信機１２１０は、様々な情報チャネル（例えば、ユーザプレーンリロケーションに関連する情報、データチャネル、および制御チャネル）に関連付けられた制御情報、ユーザデータ、またはパケットなどの情報を受信し得る。情報は、デバイスの他のコンポーネントへと渡され得る。受信機１２１０は、図１４を参照して説明されるトランシーバ１４３５の態様の例であり得る。
【０１４０】
[0147]コアネットワークデータセッションマネージャ１２１５は、図１４を参照して説明されるコアネットワークデータセッションマネージャ１４１５の態様の例であり得る。コアネットワークデータセッションマネージャ１２１５はまた、リロケーション要求マネージャ１２２５と、データセッション開始／修正コンポーネント１２３０とを含み得る。
【０１４１】
[0148]リロケーション要求マネージャ１２２５は、ＵＥの第１のデータセッションのユーザプレーンが、第１のＵＰＦから離れてリロケートされるべきであると決定し得る。いくつかのケースでは、リロケーション要求マネージャ１３２０は、ＵＥから第２のデータセッションを確立する要求を受信し得、要求は、第１のデータセッション識別を含み、ＵＥによって提供される第１のデータセッション識別に少なくとも部分的に基づいて、要求が、第１のデータセッションにサービス提供している第１のＵＰＦから離れたＵＰＦリロケーションを必要とすると決定し得る。
【０１４２】
[0149]いくつかのケースでは、リロケーション要求マネージャ１２２５は、ＵＥから第１のデータセッションを修正する要求を受信し、要求は、第１のデータセッション識別を含み、ＵＥによって提供される第１のデータセッション識別に少なくとも部分的に基づいて、要求が、第１のデータセッションにサービス提供している第１のＵＰＦから離れたＵＰＦリロケーションを必要とすると決定し得る。いくつかのケースでは、リロケーション要求マネージャ１２２５は、ＵＥからの要求において、第２のデータセッション確立がユーザプレーンリロケーションのためのものであることの要因インジケーションを受信し得る。
【０１４３】
[0150]データセッション開始／修正コンポーネント１２３０は、第２のＵＰＦにおいて第２のデータセッションを確立することを介して、第１のデータセッションのユーザプレーンリロケーションを実行し得る。データセッション開始／修正コンポーネント１２３０はまた、第２のＵＰＦによってサービス提供されるように第１のデータセッションを修正することを介して、第１のデータセッションのユーザプレーンリロケーションを実行し得る。いくつかのケースでは、要求が、第２のデータセッションを確立するために、ＵＥへ送られ得る。いくつかのケースでは、データセッション開始／修正コンポーネント１２３０はまた、第１のＵＰＦにおいてセッション解放をトリガし得る。
【０１４４】
[0151]送信機１２２０は、デバイスの他のコンポーネントによって生成される信号を送信し得る。いくつかの例では、送信機１２２０は、トランシーバモジュールにおいて受信機１２１０とコロケートされ得る。例えば、送信機１２２０は、図１４を参照して説明されるトランシーバ１４３５の態様の例であり得る。送信機１２２０は、単一のアンテナを含み得るか、またはそれは、アンテナのセットを含み得る。
【０１４５】
[0152]図１３は、本開示の１つまたは複数の態様による、異なるセッションおよびサービス継続性モードでのＵＥのためのユーザプレーンリロケーションをサポートするコアネットワークエンティティデータセッションマネージャ１３１５のブロック図１３００を示す。
【０１４６】
[0141]コアネットワークエンティティデータセッションマネージャ１３１５は、図１１、図１２、および図１４を参照して説明されるコアネットワークデータセッションマネージャ１４１５の態様の例であり得る。コアネットワークエンティティデータセッションマネージャ１３１５は、リロケーション要求マネージャ１３２０、データセッション開始／修正コンポーネント１３２５、ＵＰＦ識別コンポーネント１３３０、データセッション確立コンポーネント１３３５、リロケーション識別コンポーネント１３４０、およびＩＰアドレス割振りコンポーネント１３４５を含み得る。これらのモジュールの各々は、（例えば、１つまたは複数のバスを介して）互いと直接的にまたは間接的に通信し得る。
【０１４７】
[0153]リロケーション要求マネージャ１３２０は、ＵＥの第１のデータセッションのユーザプレーンが、第１のＵＰＦから離れてリロケートされるべきであると決定し得る。いくつかのケースでは、リロケーション要求マネージャ１３２０は、ＵＥから第２のデータセッションを確立する要求を受信し得、要求は、第１のデータセッション識別を含み、ＵＥによって提供される第１のデータセッション識別に少なくとも部分的に基づいて、要求が、第１のデータセッションにサービス提供している第１のＵＰＦから離れたＵＰＦリロケーションを必要とすると決定し得る。
【０１４８】
[0154]いくつかのケースでは、リロケーション要求マネージャ１３２０は、ＵＥから第１のデータセッションを修正する要求を受信し、要求は、第１のデータセッション識別を含み、ＵＥによって提供される第１のデータセッション識別に少なくとも部分的に基づいて、要求が、第１のデータセッションにサービス提供している第１のＵＰＦから離れたＵＰＦリロケーションを必要とすると決定し得る。いくつかのケースでは、リロケーション要求マネージャ１３２０は、ＵＥからの要求において、第２のデータセッション確立がユーザプレーンリロケーションのためのものであることの要因インジケーションを受信し得る。
【０１４９】
[0155]データセッション開始／修正コンポーネント１３２５は、第２のＵＰＦにおいて第２のデータセッションを確立することを介して、第１のデータセッションのユーザプレーンリロケーションを実行し得る。データセッション開始／修正コンポーネント１３２５はまた、第２のＵＰＦによってサービス提供されるように第１のデータセッションを修正することを介して、第１のデータセッションのユーザプレーンリロケーションを実行し得る。いくつかのケースでは、要求が、第２のデータセッションを確立するために、ＵＥへ送られ得る。いくつかのケースでは、データセッション開始／修正コンポーネント１３２５はまた、第１のＵＰＦにおいてセッション解放をトリガし得る。
【０１５０】
[0156]ＵＰＦ識別コンポーネント１３３０は、第２のデータセッションまたは修正された第１のデータセッションのために、第２のＵＰＦを選択し、ＵＥに、第２のＵＰＦに関連付けられたユーザプレーン情報を送信し得る。データセッション確立コンポーネント１３３５は、第２のＵＰＦとの第２のデータセッションを確立し得る。
【０１５１】
[0157]リロケーション識別コンポーネント１３４０は、第２のデータセッションを確立する要求において、第１のデータセッション相関識別を識別し得る。いくつかのケースでは、リロケーション識別コンポーネント１３４０は、ＵＥに、第２のデータセッションと第２のＵＰＦとに関連付けられたユーザプレーン情報を送信し得る。ＩＰアドレス割振りコンポーネント１３４５は、ＵＥのためにＩＰアドレスを割り振り得る。
【０１５２】
[0158]図１４は、本開示の１つまたは複数の態様による、異なるセッションおよびサービス継続性モードでのＵＥのためのユーザプレーンリロケーションをサポートするデバイス１４０５を含むシステム１４００の図を示す。デバイス１４０５は、例えば、図１を参照して、上記で説明されたような、コアネットワークエンティティ（例えば、ＳＭＦ１２０）のコンポーネントを含むか、またはその例であり得る。デバイス１４０５は、コアネットワークエンティティデータセッションマネージャ１４１５、プロセッサ１４２０、メモリ１４２５、ソフトウェア１４３０、トランシーバ１４３５、およびＩ／Ｏコントローラ１４４０を含む、通信を送信および受信するためのコンポーネントを含む双方向音声およびデータ通信のためのコンポーネントを含み得る。これらのコンポーネントは、１つまたは複数のバス（例えば、バス１４１０）を介して電子通信状態にあり得る。
【０１５３】
[0159]プロセッサ１４２０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはこれらの任意の組合せ）を含み得る。いくつかのケースでは、プロセッサ１４２０は、メモリコントローラを使用してメモリアレイを動作させるように構成され得る。他のケースでは、メモリコントローラは、プロセッサ１４２０に一体化され得る。プロセッサ１４２０は、様々な機能（例えば、異なるセッションおよびサービス継続性モードでのＵＥのためのユーザプレーンリロケーションをサポートする機能またはタスク）を実行するために、メモリに記憶されたコンピュータ可読命令を実行するように構成され得る。
【０１５４】
[0160]メモリ１４２５は、ＲＡＭおよびＲＯＭを含み得る。メモリ１４２５は、実行されると、プロセッサに、本明細書で説明された様々な機能を実行させる命令を含むコンピュータ可読で、コンピュータ実行可能なソフトウェア１４３０を記憶し得る。いくつかのケースでは、メモリ１４２５は、特に、周辺コンポーネントまたはデバイスとの対話などの基本ハードウェアおよび／またはソフトウェア動作を制御し得るＢＩＯＳを含み得る。
【０１５５】
[0161]ソフトウェア１４３０は、非モビリティ管理メッセージのためのＮＡＳトランスポートをサポートするためのコードを含む、本開示の態様をインプリメントするためのコードを含み得る。ソフトウェア１４３０は、システムメモリまたは他のメモリなどの、非一時的なコンピュータ可読媒体に記憶され得る。いくつかのケースでは、ソフトウェア１４３０は、プロセッサによって直接的に実行可能でない場合があるが、（例えば、コンパイルされ、実行されると）コンピュータに、本明細書で説明される機能を実行させ得る。
【０１５６】
[0162]トランシーバ１４３５は、上記で説明されたように、１つまたは複数のアンテナ、ワイヤードリンク、またはワイヤレスリンクを介して、双方向に通信し得る。例えば、トランシーバ１４３５は、ワイヤレストランシーバを表し得、別のワイヤレストランシーバと双方向に通信し得る。トランシーバ１４３５はまた、パケットを変調して、変調されたパケットを送信のためにアンテナに提供することと、アンテナから受信されたパケットを復調することとを行うためのモデムを含み得る。
【０１５７】
[0163]Ｉ／Ｏコントローラ１４４０は、デバイス１４０５のための入力および出力信号を管理し得る。Ｉ／Ｏコントローラ１４４０はまた、デバイス１４０５に一体化されていない周辺機器を管理し得る。いくつかのケースでは、Ｉ／Ｏコントローラ１４４０は、外部周辺機器への物理的接続またはポートを表し得る。いくつかのケースでは、Ｉ／Ｏコントローラ１４４０は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の既知のオペレーティングシステムなどのオペレーティングシステムを利用し得る。他のケースでは、Ｉ／Ｏコントローラ１４４０は、モデム、キーボード、マウス、タッチスクリーン、または同様のデバイスを表すか、またはそれらと対話し得る。いくつかのケースでは、Ｉ／Ｏコントローラ１４４０は、プロセッサの一部としてインプリメントされ得る。いくつかのケースでは、ユーザは、Ｉ／Ｏコントローラ１４４０を介して、またはＩ／Ｏコントローラ１４４０によって制御されるハードウェアコンポーネントを介して、デバイス１４０５と対話し得る。
【０１５８】
[0164]図１５は、本開示の１つまたは複数の態様による、異なるセッションおよびサービス継続性モードでのＵＥのためのユーザプレーンリロケーションのための方法１５００を例示するフローチャートを示す。方法１５００の動作は、本明細書で説明されたように、ＵＥ１１５またはそのコンポーネントによってインプリメントされ得る。例えば、方法１５００の動作は、図７〜図１０を参照して説明されたように、ＵＥデータセッションマネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１５９】
[0165]１５０５において、ＵＥ１１５は、ネットワークの第１のＵＰＦとの第１のデータセッションを確立し得る。１５０５の動作は、図１〜図６を参照して説明された方法に従って実行され得る。ある特定の例では、１５０５の動作の態様は、図７〜図１０を参照して説明されたように、データセッション開始／修正コンポーネント、および／またはデータセッション確立コンポーネントによって実行され得る。
【０１６０】
[0166]１５１０において、ＵＥ１１５は、ネットワークとの第２のデータセッションを確立する要求を受信し得る。１５１０の動作は、図１〜図６を参照して説明された方法に従って実行され得る。ある特定の例では、１５１０の動作の態様は、図７〜図１０を参照して説明されたように、受信機および／またはデータセッション識別コンポーネントによって実行され得る。
【０１６１】
[0167]１５１５において、ＵＥ１１５は、第２のＵＰＦとの第２のデータセッションを確立し得る。１５１５の動作は、図１〜図６を参照して説明された方法に従って実行され得る。ある特定の例では、１５１５の動作の態様は、図７〜図１０を参照して説明されたように、データセッション確立コンポーネントによって実行され得る。
【０１６２】
[0168]図１６は、本開示の１つまたは複数の態様による、異なるセッションおよびサービス継続性モードでのＵＥのためのユーザプレーンリロケーションのための方法１６００を例示するフローチャートを示す。方法１６００の動作は、本明細書で説明されたように、コアネットワークエンティティ（例えば、ＳＭＦ）またはそのコンポーネントによってインプリメントされ得る。例えば、方法１６００の動作は、図１１〜図１４を参照して説明されたように、コアネットワークデータセッションマネージャによって実行され得る。いくつかの例では、コアネットワークエンティティは、以下で説明される機能を実行するために、デバイスの機能的な要素を制御するためのコードのセットを実行し得る。追加または代替として、コアネットワークエンティティは、専用ハードウェアを使用して、以下で説明される機能の態様を実行し得る。
【０１６３】
[0169]１６０５において、コアネットワークエンティティは、ＵＥの第１のデータセッションのユーザプレーンが、第１のＵＰＦから離れてリロケートされるべきであると決定し得る。１６０５の動作は、図１〜図６を参照して説明された方法に従って実行され得る。ある特定の例では、１６０５の動作の態様は、図１１〜図１４を参照して説明されたように、リロケーション要求マネージャによって実行され得る。
【０１６４】
[0170]１６１０において、コアネットワークエンティティは、第２のＵＰＦにおいて第２のデータセッションを確立することを介して、第１のデータセッションのユーザプレーンリロケーションを実行し得る。１６１０の動作は、図１〜図６を参照して説明された方法に従って実行され得る。ある特定の例では、１６１０の動作の態様は、図１１〜図１４を参照して説明されたように、データセッション開始／修正コンポーネントによって実行され得る。
【０１６５】
[0171]図１７は、本開示の１つまたは複数の態様による、異なるセッションおよびサービス継続性モードでのＵＥのためのユーザプレーンリロケーションのための方法１７００を例示するフローチャートを示す。方法１７００の動作は、本明細書で説明されたように、ＵＥ１１５またはそのコンポーネントによってインプリメントされ得る。例えば、方法１７００の動作は、図７〜図１０を参照して説明されたように、ＵＥデータセッションマネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１６６】
[0172]１７０５において、ＵＥ１１５は、ネットワークとの第１のデータセッションのユーザプレーンを、第１のＵＰＦから第２のデータセッションにサービス提供している第２のＵＰＦにリロケートするために、第１のデータセッションが解放される必要があり、新しい第２のデータセッションが確立される必要があることを識別し得る。１７０５の動作は、図１〜図６を参照して説明された方法に従って実行され得る。ある特定の例では、１７０５の動作の態様は、図７〜図１０を参照して説明されたように、データセッション識別コンポーネントによって実行され得る。
【０１６７】
[0173]１７１０において、ＵＥ１１５は、第１のデータセッションに関連付けられた識別を使用して、リロケートされるべき第１のデータセッションの修正を開始し得る。１７１０の動作は、図１〜図６を参照して説明された方法に従って実行され得る。ある特定の例では、１７１０の動作の態様は、図７〜図１０を参照して説明されたように、データセッション開始／修正コンポーネントによって実行され得る。
【０１６８】
[0174]１７１５において、ＵＥ１１５は、第２のＵＰＦへの第１のデータセッションのリロケーションの確認を受信し得る。１７１５の動作は、図１〜図６を参照して説明された方法に従って実行され得る。ある特定の例では、１７１５の動作の態様は、図７〜図１０を参照して説明されたように、データセッション確立コンポーネントによって実行され得る。
【０１６９】
[0175]図１８は、本開示の１つまたは複数の態様による、異なるセッションおよびサービス継続性モードでのＵＥのためのユーザプレーンリロケーションのための方法１８００を例示するフローチャートためのユーザプレーンリロケーションのための方法１８００を例示するフローチャートを示す。方法１８００の動作は、本明細書で説明されたように、コアネットワークエンティティ（例えば、ＳＭＦ）またはそのコンポーネントによってインプリメントされ得る。例えば、方法１８００の動作は、図１１〜図１４を参照して説明されたように、コアネットワークデータセッションマネージャによって実行され得る。いくつかの例では、コアネットワークエンティティは、以下で説明される機能を実行するために、デバイスの機能的な要素を制御するためのコードのセットを実行し得る。追加または代替として、コアネットワークエンティティは、専用ハードウェアを使用して、以下で説明される機能の態様を実行し得る。
【０１７０】
[0176]１８０５において、コアネットワークエンティティは、ＵＥの第１のデータセッションのユーザプレーンが、第１のＵＰＦから離れてリロケートされるべきであると決定し得る。１８０５の動作は、図１〜図６を参照して説明された方法に従って実行され得る。ある特定の例では、１８０５の動作の態様は、図１１〜図１４を参照して説明されたように、リロケーション要求マネージャによって実行され得る。
【０１７１】
[0177]１８１０において、コアネットワークエンティティは、第２のＵＰＦによってサービス提供されるように第１のデータセッションを修正することを介して、第１のデータセッションのユーザプレーンリロケーションを実行し得る。１８１０の動作は、図１〜図６を参照して説明された方法に従って実行され得る。ある特定の例では、１８１０の動作の態様は、図１１〜図１４を参照して説明されたように、データセッション開始／修正コンポーネントによって実行され得る。
【０１７２】
[0178]上記で説明された方法は、可能なインプリメンテーションを説明しており、動作は、再構成または他の方法で変更され得、他のインプリメンテーションも可能であることに留意されたい。さらに、これら方法のうちの２つ以上からの態様が組み合わされ得る。
【０１７３】
[0179]本明細書で説明された技法は、ＣＤＭＡ、ＴＤＭＡ、ＦＤＭＡ、ＯＦＤＭＡ、単一キャリア周波数分割多元接続（ＳＣ−ＦＤＭＡ）、および他のシステムなどの、様々なワイヤレス通信システムのために使用され得る。「システム」および「ネットワーク」という用語は、しばしば交換可能に用いられる。ＣＤＭＡシステムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘ、等と呼ばれる。ＩＳ−８５６（ＴＩＡ−８５６）は、一般に、ＣＤＭＡ２０００  １ｘＥＶ−ＤＯ、高速パケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））などの無線技術をインプリメントし得る。
【０１７４】
[0180]ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュ−ＯＦＤＭ、等のような無線技術をインプリメントし得る。ＵＴＲＡおよびＥ−ＵＴＲＡは、ユニバーサルモバイルテレコミュニケーションズシステム（ＵＭＴＳ）の一部である。３ＧＰＰ  ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ）という名称の団体からの文書に説明されている。ＣＤＭＡ２０００およびＵＭＢは、「第３世代パートナーシッププロジェクト２」（３ＧＰＰ２）という名称の団体からの文書に説明されている。本明細書で説明された技法は、上述されたシステムおよび無線技術、ならびに他のシステムおよび無線技術のために使用され得る。ＬＴＥまたはＮＲシステムの態様が、例を目的として説明され得、ＬＴＥまたはＮＲ用語が、説明の大部分において使用され得る一方で、本明細書で説明される技法は、ＬＴＥまたはＮＲアプリケーションを超えて適用可能である。
【０１７５】
[0181]本明細書で説明されたこのようなネットワークを含む、ＬＴＥ／ＬＴＥ−Ａネットワークでは、発展型ノードＢ（ｅＮＢ）という用語は、一般に、基地局を説明するために使用され得る。本明細書で説明されたワイヤレス通信のシステムまたは複数のシステムは、異なるタイプのｅＮＢが様々な地理的な領域に対するカバレッジを提供する異種ＬＴＥ／ＬＴＥ−ＡまたはＮＲネットワークを含み得る。例えば、各ｅＮＢ、ｇＮＢまたは基地局は、マクロセル、スモールセル、または他のタイプのセルに対する通信カバレッジを提供し得る。「セル」という用語は、コンテキストに応じて、基地局、基地局に関連付けられたキャリアまたはコンポーネントキャリア、あるいはキャリアまたは基地局のカバレッジエリア（例えば、セクタ）を説明するために使用され得る。
【０１７６】
[0182]基地局は、トランシーバ基地局（base transceiver station）、無線基地局、アクセスポイント、無線トランシーバ、ノードＢ、ｅＮＢ、次世代ノードＢ（ｇＮＢ）、ホームノードＢ、ホームｅノードＢ、または何らかの他の好適な専門用語で当業者によって呼ばれ得るか、あるいはそれらを含み得る。基地局のための地理的なカバレッジエリアは、カバレッジエリアの一部分のみを構成するセクタに分割され得る。本明細書で説明されたワイヤレス通信のシステムまたは複数のシステムは、異なるタイプの基地局（例えば、マクロまたはスモールセル基地局）を含み得る。本明細書で説明されたＵＥは、マクロｅＮＢ、スモールセルｅＮＢ、ｇＮＢ、中継基地局、および同様のものを含む、様々なタイプの基地局およびネットワーク機器と通信することが可能であり得る。異なる技術についての重複する地理的なカバレッジエリアが存在し得る。
【０１７７】
[0183]マクロセルは、一般に、比較的大きい地理的なエリア（例えば、半径数キロメートル）をカバーし、ネットワークプロバイダにサービス加入しているＵＥによる無制限のアクセスを可能にし得る。スモールセルは、マクロセルと同じまたは異なる（例えば、ライセンス、アンライセンス）周波数帯域で動作し得る、マクロセルと比較してより低い電力の基地局である。スモールセルは、様々な例に従って、ピコセル、フェムトセル、およびマイクロセルを含み得る。ピコセルは、例えば、小さい地理的なエリアをカバーし得、ネットワークプロバイダにサービス加入しているＵＥによる無制限のアクセスを可能にし得る。フェムトセルもまた、小さい地理的なエリア（例えば、自宅）をカバーし得、フェムトセルとのアソシエーションを有するＵＥ（例えば、クローズド加入者グループ（ＣＳＧ）におけるＵＥ、自宅内のユーザのためのＵＥ、および同様のもの）による制限付きアクセスを提供し得る。マクロセルのためのｅＮＢは、マクロｅＮＢと呼ばれ得る。スモールセルのためのｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、等）のセル（例えば、コンポーネントキャリア）をサポートし得る。
【０１７８】
[0184]本明細書で説明されたワイヤレス通信のシステムまたは複数のシステムは、同期または非同期動作をサポートし得る。同期動作の場合、複数の基地局は、同様のフレームタイミングを有し得、異なる基地局からの送信は、ほぼ時間的に揃えられ得る。非同期動作の場合、複数の基地局は、異なるフレームタイミングを有し得、異なる基地局からの送信は、時間的に揃えられていない場合がある。本明細書で説明された技法は、同期または非同期動作のいずれかのために使用され得る。
【０１７９】
[0185]本明細書で説明されたダウンリンク送信はまた、順方向リンク送信と呼ばれ得、一方、アップリンク送信はまた、逆方向リンク送信と呼ばれ得る。本明細書で説明された各通信リンク（例えば、図１および図２のワイヤレス通信システム１００およびワイヤレス通信システムアーキテクチャ２００を含む）は、１つまたは複数のキャリアを含み得、ここで、各キャリアは、複数のサブキャリア（例えば、異なる周波数の波形信号）からなる信号であり得る。
【０１８０】
[0186]添付の図面に関連して、本明細書に示された説明は、例となる構成を説明しており、インプリメントされ得るまたは特許請求の範囲内にある全ての例を表すものではない。本明細書で使用される「例示的（exemplary）」という用語は、「好ましい」または「他の例よりも有利である」ということではなく、「例、事例、または例示を提供する」を意味する。詳細な説明は、説明された技法の理解を提供することを目的とした特定の詳細を含む。しかしながら、これらの技法は、これらの特定の詳細なしで実施され得る。いくつかの事例では、周知の構造およびデバイスは、説明された例の概念を曖昧にすることを避けるために、ブロック図形式で示される。
【０１８１】
[0187]添付の図面では、同様のコンポーネントまたは特徴は、同じ参照ラベルを有し得る。さらに、同じタイプの様々なコンポーネントは、参照ラベルの後に、ダッシュと、同様のコンポーネント同士を区別する第２のラベルとを続けることによって区別され得る。第１の参照ラベルのみが本明細書において使用される場合、その説明は、第２の参照ラベルにかかわらず、同じ第１の参照ラベルを有する同様のコンポーネントのうちの任意の１つに適用可能である。
【０１８２】
[0188]本明細書で説明された情報および信号は、様々な異なる技術および技法のうちの任意のものを使用して表され得る。例えば、上記の説明全体を通して参照され得るデータ、命令、コマンド、情報、信号、ビット、シンボル、およびチップは、電圧、電流、電磁波、磁場または磁性粒子、光場または光粒子、あるいはこれらの任意の組合せによって表され得る。
【０１８３】
[0189]本明細書の開示に関連して説明された、様々な例示的なブロックおよびモジュールは、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいは本明細書で説明された機能を実行するように設計されたこれらの任意の組合せを用いてインプリメントまたは実行され得る。汎用プロセッサは、マイクロプロセッサであり得るが、代替として、このプロセッサは、任意の従来のプロセッサ、コントローラ、マイクロコントローラ、またはステートマシン（state machine）であり得る。プロセッサはまた、コンピューティングデバイスの組合せ（例えば、ＤＳＰとマイクロプロセッサの組合せ、複数のマイクロプロセッサ、ＤＳＰコアと連携した１つまたは複数のマイクロプロセッサ、あるいはその他任意のそのような構成）としてインプリメントされ得る。
【０１８４】
[0190]本明細書で説明された機能は、ハードウェア、プロセッサによって実行されるソフトウェア、ファームウェア、またはこれらの任意の組合せでインプリメントされ得る。プロセッサによって実行されるソフトウェアでインプリメントされる場合、これら機能は、コンピュータ可読媒体上で、１つまたは複数の命令またはコードとして記憶または送信され得る。他の例およびインプリメンテーションは、添付の特許請求の範囲および本開示の範囲内にある。例えば、ソフトウェアの性質により、上記で説明された機能は、プロセッサ、ハードウェア、ファームウェア、ハードワイヤリング、またはこれらの任意の組合せによって実行されるソフトウェアを使用してインプリメントされ得る。機能をインプリメントする特徴はまた、様々な位置に物理的に位置し得、機能の部分が異なる物理的なロケーションにおいてインプリメントされるように分散されることを含む。また、特許請求の範囲を含め、本明細書で使用される場合、項目の列挙（例えば、「〜のうちの少なくとも１つ」または「〜のうちの１つまたは複数」といった表現で始まる項目の列挙）中で使用される「または（or）」は、例えば、Ａ、Ｂ、またはＣのうちの少なくとも１つという列挙が、ＡまたはＢまたはＣまたはＡＢまたはＡＣまたはＢＣまたはＡＢＣ（すなわち、ＡおよびＢおよびＣ）を意味するような、包含的な列挙を示す。また、本明細書で使用される場合、「〜に基づいて」という表現は、条件の閉集合への参照として解釈されないものとする。例えば、「条件Ａに基づいて」と説明された例示的な動作は、本開示の範囲から逸脱することなく、条件Ａと条件Ｂの両方に基づき得る。換言すれば、本明細書で使用される場合、「〜に基づいて」という表現は、「〜に少なくとも部分的に基づいて」という表現と同様に解釈されるものとする。
【０１８５】
[0191]コンピュータ可読媒体は、１つの場所から別の場所へのコンピュータプログラムの転送を容易にする任意の媒体を含む通信媒体と非一時的なコンピュータ記憶媒体との両方を含む。非一時的な記憶媒体は、汎用または専用コンピュータによってアクセスされ得る任意の利用可能な媒体であり得る。限定ではなく例として、非一時的なコンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは、命令またはデータ構造の形で所望のプログラムコード手段を搬送または記憶するために使用され得、かつ、汎用または専用コンピュータ、あるいは汎用または専用プロセッサによってアクセスされ得る、その他任意の非一時的な媒体を備え得る。また、任意の接続は、厳密にはコンピュータ可読媒体と称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合には、同軸ケーブル、光ファイバーケーブル、ツイストペア、デジタル加入者回線（ＤＳＬ）、または赤外線、無線、およびマイクロ波のようなワイヤレス技術は、媒体の定義に含まれる。本明細書で使用される場合、ディスク（disk）およびディスク（disc）は、ＣＤ、レーザーディスク（登録商標）、光ディスク、デジタル多目的ディスク（ＤＶＤ）、フロッピー（登録商標）ディスクおよびブルーレイ（登録商標）ディスクを含み、ここでディスク（disks）は、通常磁気的にデータを再生し、一方ディスク（discs）は、レーザーを用いて光学的にデータを再生する。上記の組合せもまた、コンピュータ可読媒体の範囲内に含まれる。
【０１８６】
[0192]本明細書の説明は、当業者が本開示を製造または使用することを可能にするために提供された。本開示への様々な変更は、当業者には容易に明らかとなり、本明細書で定義した一般原理は、本開示の範囲から逸脱することなく、他の変形形態に適用され得る。したがって、本開示は、本明細書で説明された例および設計に限定されず、本明細書で開示された原理および新規の特徴に合致する最も広い範囲を与えられることとなる。
【図１】
2020511849.tif 000003
【図２】
2020511849.tif 000004
【図３】
2020511849.tif 000005
【図４】
2020511849.tif 000006
【図５】
2020511849.tif 000007
【図６】
2020511849.tif 000008
【図７】
2020511849.tif 000009
【図８】
2020511849.tif 000010
【図９】
2020511849.tif 000011
【図１０】
2020511849.tif 000012
【図１１】
2020511849.tif 000013
【図１２】
2020511849.tif 000014
【図１３】
2020511849.tif 000015
【図１４】
2020511849.tif 000016
【図１５】
2020511849.tif 000017
【図１６】
2020511849.tif 000018
【図１７】
2020511849.tif 000019
【図１８】
2020511849.tif 000020
【国際調査報告】
2020511849.tif 000021
2020511849.tif 000022
2020511849.tif 000023
2020511849.tif 000024
2020511849.tif 000025